(57)【要約】【課題】  ゴルフ場相互間の難易度の違いを是正し、そのプレー日に合致した全てのゴルファーに公正なハンディキャップを付与可能とし、ゴルフの普及と活性化を図ることができること。【解決手段】  コース難易度設定手段３３によってホール毎のフェアウェーの難易度及びグリーンの難易度で算出した難易度から１８ホールのコース難易度を算出し、そのコース難易度設定手段３３が算出した難易度に基づくプレーヤーのグロススコアを記憶手段３４に記憶する。スタンダードハンディキャップ算出手段３５は、記憶手段３４が記憶するコース難易度設定手段３３が算出した難易度に基づくプレーヤーのグロススコアから、所定の期間内のプレー回数に応じたハンディキャップを算出するから、人為的誤差が入り難く、自然界の影響による難易度の設定が容易になる。【選択図】    図４
2008086369.tif 000002
【特許請求の範囲】
【請求項１】
各ホールのティーポジションからグリーンオンまでの地形情報に基づく難易度及び／または気象情報に基づく物理的変量によって決定される難易度を設定するフェアウェー難易度設定手段と、
各ホールのグリーンオンからホールアウトまでの地形情報に基づく難易度及び／または気象情報に基づく物理的変量によって決定される難易度を設定するグリーン難易度設定手段と、
前記ホール毎のフェアウェー難易度設定手段及びグリーン難易度設定手段で決定した難易度から１８ホールのコースの難易度を決定するコース難易度設定手段と、
前記コース難易度設定手段が決定した難易度に基づくコースで実際にプレーしたグロススコアを当該難易度と共に記憶する記憶手段と、
前記記憶手段が記憶する前記コース難易度設定手段が決定した難易度に基づくグロススコアから、特定のプレーヤーが所定の期間内のプレー回数に応じたハンディキャップを特定のプレーヤー毎に算出するスタンダードハンディキャップ算出手段と
を具備することを特徴とするゴルフのハンディキャップ設定装置。
【請求項２】
各ホール毎のフェアウェー及びグリーンで算出した地形情報に基づく難易度及び／または気象情報に基づく物理的変量によって決定される難易度から１８ホールのコースの難易度を決定するコース難易度設定手段と、
前記コース難易度設定手段が決定した難易度に基づくコースで実際にプレーしたグロススコアを当該難易度と共に記憶する記憶手段と、
前記記憶手段が記憶する前記コース難易度設定手段が決定した難易度に基づくグロススコアから、特定のプレーヤーが所定の期間内のプレー回数に応じたハンディキャップを特定のプレーヤー毎に算出するスタンダードハンディキャップ算出手段と
を具備することを特徴とするゴルフのハンディキャップ設定装置。
【請求項３】
更に、所定期間内に特定のゴルフ場でオフィシャルハンディキャップを取得したり、変更したりしたプレーヤーが、オフィシャルハンディキャップを取得したり、変更したりした以外のゴルフ場でプレーをした場合で、該当するプレーヤーの数が所定数になったとき、前記コース難易度設定手段によって設定された難易度を補正する難易度補正手段を具備することを特徴とする請求項１または請求項２に記載のゴルフのハンディキャップ設定装置。
【請求項４】
更に、所定期間内に特定のゴルフ場でプレーヤーが複数回プレーし、また、所定期間内に前記特定のゴルフ場とは異なるゴルフ場で同一プレーヤーが複数回プレーした場合で、該当するプレーヤーの数が所定数になったとき、前記コース難易度設定手段によって設定された難易度を補正する難易度補正手段を具備することを特徴とする請求項１または請求項２に記載のゴルフのハンディキャップ設定装置。
【請求項５】
前記難易度補正手段によるコース難易度設定手段によって設定された難易度の補正は、所定の期間毎に更新することを特徴とする請求項１乃至請求項４の何れか１つに記載のゴルフのハンディキャップ設定装置。
【請求項６】
前記コース難易度設定手段、前記フェアウェー難易度設定手段、グリーン難易度設定手段の何れかの気象情報に基づく物理的変量によって決定される難易度とは、天候、降雨量、外気温、風速、風向の１以上としたことによって決定されることを特徴とする請求項１乃至請求項５の何れか１つに記載のゴルフのハンディキャップ設定装置。
【請求項７】
前記記憶手段には、少なくとも、前記コース難易度設定手段が算出した難易度に基づくコースで実際にプレーしたグロススコアを当該難易度及びプレーの日付と共に記憶し、必要に応じて、天候、降雨量、外気温、風速、風向の１以上の気象情報と共に記憶することを特徴とする請求項１乃至請求項６の何れか１つに記載のゴルフのハンディキャップ設定装置。
【請求項８】
各ホールのティーポジションからグリーンオンまでの地形情報に基づく難易度及び／または気象情報に基づく物理的変量によって決定される難易度を決定するフェアウェー難易度設定工程と、
各ホールのグリーンオンからホールアウトまでの地形情報に基づく難易度及び／または気象情報に基づく物理的変量によって決定される難易度を決定するグリーン難易度設定工程と、
前記ホール毎のフェアウェー難易度設定工程及びグリーン難易度設定工程で決定した難易度から１８ホールのコース難易度を決定するコース難易度設定工程と、
前記コース難易度設定工程が決定した難易度に基づくコースで実際にプレーしたグロススコアを当該難易度と共に記憶する記憶工程と、
前記記憶工程で記憶する前記コース難易度設定工程が決定した難易度に基づくグロススコアから、特定のプレーヤーが所定の期間内のプレー回数に応じたハンディキャップを特定のプレーヤー毎に算出するスタンダードハンディキャップ算出工程と
を具備することを特徴とするゴルフのハンディキャップ設定方法。
【請求項９】
ホール毎のフェアウェー及びグリーンにおける地形情報に基づく難易度及び気象情報に基づく物理的変量によって決定される難易度から１８ホールのコースの難易度を決定するコース難易度設定工程と、
前記コース難易度設定工程が決定した難易度に基づくコースで実際にプレーしたグロススコアを当該難易度と共に記憶する記憶工程と、
前記記憶手段が記憶する前記コース難易度設定工程が決定した難易度に基づくグロススコアから、特定のプレーヤーが所定の期間内のプレー回数に応じたハンディキャップを特定のプレーヤー毎に算出するスタンダードハンディキャップ算出工程と
を具備することを特徴とするゴルフのハンディキャップ設定方法。
【請求項１０】
更に、所定期間内に特定のゴルフ場でオフィシャルハンディキャップを取得したプレーヤーが、オフィシャルハンディキャップを取得した以外のゴルフ場でプレーをした場合で、該当するプレーヤーの数が所定数になったとき、前記コース難易度設定工程によって設定された難易度を補正する難易度補正工程を具備することを特徴とする請求項８または請求項９に記載のゴルフのハンディキャップ設定方法。
【請求項１１】
更に、所定期間内に特定のゴルフ場でプレーヤーが複数回プレーし、また、所定期間内に前記特定のゴルフ場とは異なるゴルフ場で同一プレーヤーが複数回プレーした場合で、該当するプレーヤーの数が所定数になったとき、前記コース難易度設定工程によって設定された難易度を補正する難易度補正工程を具備することを特徴とする請求項８または請求項９に記載のゴルフのハンディキャップ設定方法。
【発明の詳細な説明】
【技術分野】
【０００１】
本発明は、各ゴルフ場毎にコースレーティングの変化、プレー日の気象条件の違い等で異なる難易度をもってゴルフ場の持つハンディキャップを修正し、そのプレーヤーの実力に応じたハンディキャップを、何れのゴルフ場でもプレーの都度使用できるハンディキャップ設定装置及びその設定方法に関するものである。
【背景技術】
【０００２】
従来のゴルフのハンディキャップは、特定ゴルフ場のメンバーがそのメンバーとなっているホームコースで特定の期間内に複数回ラウンドし、そのスコアカードを何枚か当該ゴルフ場に提出すると、ゴルフ場のハンディキャップ委員会等がそのスコアカードに基づいて一定の計算式により算出し、認定している。このようにして認定されたハンディキャップはオフィシャルハンディキャップとして、メンバーはそのゴルフ場の月例競技会に参加し、それを自己のハンディキャップとして使用することができる。また、メンバーが、自分の所属するゴルフ場以外でのプライベートコンペ等に参加する場合も、一般に、そのホームコースのハンディキャップを使用するのが普通である。
【０００３】
ところが、ゴルフ場のメンバーになるには、メンバー権を購入し、年会費を支払う必要があるから、アマチュアゴルファーの多くは過去のプライベートコンペの結果からハンディキャップを決定している。また、プライベートコンペに参加した経験の少ないプレーヤーは、自分が過去にプレーした平均的スコア等と思われるものにより自己申告するのが普通である。そして、その競技の成績は、実際にラウンドしたグロススコアからそのプレーヤーのハンディキャップを引いたネットスコアで決定されるので、ハンディキャップに誤差が存在すると、それがプレーヤーの競技会順位に影響し、競技を楽しむことができなくなり、その競技後にしこりを残すことにもなり得る。
プレーヤーが良心的に申告しても、過去のスコアはゴルフ場の難易度によってハンディキャップが異なり、それらを単純に均一評価することはできない。
また、認定されているオフィシャルハンディキャップであっても、所属するホームコースの難易度によって、ラウンドのグロススコアが異なるので、異なるゴルフクラブのメンバーが集まって競技するコンペ等では、各プレーヤーのオフィシャルハンディキャップをそのまま使用するには不公平になる可能性がある。
そこで、例えば、親善を目的とするプライベートコンペでは、キャロウェー方式が使用される確率が高い。即ち、幾つかの隠しホールを設定し、そのホールのスコアからハンディキャップをプレー後に決めて算定するものである。このキャロウェー方式も隠しホールでのスコアが基準になることから、運不運があり、必ずしも公平な競技方法とはいえず、運に任せた競技となる。また、キャロウェー方式は運に任せた競技として各プレーヤーが納得している。
【０００４】
特許文献１では、ハンディキャップの認可基準を統一し、メンバーシップのゴルフ場のメンバーでないプレーヤーにもハンディキャップの認定をすることを可能にすると共に、オフィシャルハンディキャップを取得しているプレーヤーにも同じ基準でのハンディキャップを認定し、コンペなどの競技において、所属するゴルフクラブがなくても、あるいは所属するゴルフクラブが異なっていても、統一した基準のもとに認定されたハンディキャップによって公平な競技が楽しめるようにすることを可能にするゴルフのハンディキャップ認定システムを提供している。
具体的には、複数のゴルフ場のゴルフコースの難易度を示すデータを記憶する記憶手段と、前記複数のゴルフ場のゴルフコースのうちいずれかのゴルフコースでラウンドしたときのスコアを入力する第１の入力手段と、該第１の入力手段により入力されたスコアと、前記記憶手段に記憶された当該ゴルフコースの難易度とに基づいて、適正ハンディキャップを算出する第１の演算手段と、該第１の演算手段により算出されたハンディキャップを出力するハンディキャップ出力手段とを備え、ゴルフプレーヤーが前記複数のゴルフ場のゴルフコースの範囲内でラウンドしたときのスコアを、前記第１の入力手段により入力することにより、前記第１の演算手段により該ゴルフプレーヤーの適正ハンディキャップを算出し、前記ハンディキャップ出力手段により出力して、該プレーヤーにハンディキャップの認定をすることを可能としたことを特徴とするものである。
【０００５】
前述の難易度を示すデータとは、ゴルフコースの難易度を直接または間接的に表すことができ、前記第１の演出手段がそれに基づいてハンディキャップを算出できるデータであれば、いかなるデータであってもよい。例えば、コースレートをそのまま使用してもよいし、ハンディキャップの認定を求めるゴルファーがゴルフコースを数回ラウンドした時の平均スコアと当該平均スコアに対応するハンディキャップをゴルフコース毎に対応表とした直接的にハンディキャップを割り出すデータであってもよいとしている。
また、同一ゴルフ場でも、複数コースがある時はコース毎に、また、同じコースでもチャンピオンティーまたはバックティー、レギュラーティー、フロントティーなどの異なるティーポジションによって難易度が異なるので、前記難易度を示すデータは、前記複数のゴルフ場のゴルフコースのティーポジション別の難易度を示すデータであることが好ましい。そして、前記第１の演算手段に入力されるスコアは、前記記憶手段に記憶された複数のゴルフ場のゴルフコースの範囲で、複数回ラウンドしたときの複数のスコアであることが好ましいとしている。
【特許文献１】特開２００２−８５６２１
【発明の開示】
【発明が解決しようとする課題】
【０００６】
特許文献１に掲載のゴルフのオフィシャルハンディキャップ設定装置は、前述の難易度を示すデータについて、ゴルフコースの難易度を直接または間接的に表すことができ、前記第１の演出手段がそれに基づいてハンディキャップを算出できるデータであれば、いかなるデータであってもよいとしている。しかし、現実には、そのようなデータは存在していない。
また、例えば、コースレートをそのまま使用したものは、そのゴルフ場の設計上のハンディキャップとなり、ゴルフ場相互間の調整はできない。そして、ハンディキャップの認定を求めるゴルファーがゴルフコースを数回ラウンドした時の平均スコアと当該平均スコアに対応するハンディキャップをゴルフコース毎に対応表とした直接的にハンディキャップを割り出す方法は、ゴルフ場のハンディキャップを確認するためにゴルフ場毎に行われているが、ゴルフ場相互間で難易度を検討して換算することは人為的誤差、気象条件が介在し、困難であった。更に、チャンピオンティーまたはバックティー、レギュラーティー、フロントティー等の異なるティーポジションによってハンディキャップを調整するのも当然に行われている。
即ち、特許文献１に掲載のゴルフのオフィシャルハンディキャップ設定装置は、ゴルフ場相互間におけるハンディキャップの難易度の調整は不可能である。更に、複数のゴルフ場のゴルフコースの難易度を示すデータが存在していないことから、特許文献１に掲載のゴルフのオフィシャルハンディキャップ設定装置の発明は、具体的事項の開示がないから実現不可能である。
【０００７】
そこで、本発明はこれらの問題点を解消すべく、ゴルフ場相互間の難易度の違いを是正し、そのプレー日に合致した全てのゴルファーに公正なハンディキャップを付与可能とし、ゴルフの普及と活性化を図ることができるゴルフのハンディキャップ設定装置及びその設定方法の提供を課題とするものである。
【課題を解決するための手段】
【０００８】
請求項１のゴルフのハンディキャップ設定装置は、各ホールのティーポジションからグリーンオンまでの地形情報に基づく難易度及び／または気象情報に基づく物理的変量によって決定される難易度を決定するフェアウェー難易度設定手段と、各ホールのグリーンオンからホールアウトまでの地形情報に基づく難易度及び／または気象情報に基づく物理的変量によって決定される難易度を決定するグリーン難易度設定手段と、前記ホール毎のフェアウェー難易度設定手段及びグリーン難易度設定手段で決定した難易度から１８ホールのコースの難易度を決定するコース難易度設定手段と、前記コース難易度設定手段が決定した難易度に基づくプレーヤーのグロススコアを記憶する記憶手段と、所定の期間内の前記記憶手段が記憶するコース難易度設定手段が決定した難易度に基づくプレーヤーのグロススコアからそのプレー回数に応じたハンディキャップを算出するスタンダードハンディ算出手段を具備するものである。
ここで、上記フェアウェー難易度設定手段は、各ホールのティーポジションからグリーンオンするまでの難易度を決定するものであり、プレーヤーがティーポジションでティーアップし、グリーンオンするまでの地形情報に基づく難易度及び／または気象情報に基づく物理的変量によって決定される難易度を決定するものである。具体的には、コースの幅、コース側面の状態、斜面であるか否か、側面がＯＢであるか否か、バンカーの大きさと位置、ウォーターハザードの大きさ位置、谷越え、打下ろしの場合の風の影響、花道の位置と広さ、草の成長度等によって難易度を確率的に算出するものである。
また、上記グリーン難易度設定手段は、各ホールのグリーン上からホールアウトまでの地形情報に基づく難易度及び／または気象情報に基づく物理的変量によって決定される難易度を決定するもので、ステンプメータによって測定される各ホールに対する芝目及びアンジュレーションによる転がりの違い、２段グリーンの段差の高さ、傾斜面の広さ、芝の伸び等によって算出されるものである。
そして、上記コース難易度設定手段は、ホール毎のフェアウェー難易度設定手段及びグリーン難易度設定手段で算出した難易度から１８ホールのコース難易度を算出する。この１８ホールのコースは、例えば、２７ホールを有するゴルフ場は、９ホールのハーフの組み合わせにより、３コースの組み合わせができ、実質的に３つのゴルフ場として扱うことができる。したがって、上記コース難易度設定手段は、１８ホールからなるゴルフ場及び１８ホールからなるコースを１ゴルフ場の単位として特定するものである。
更に、上記記憶手段は、少なくとも、コース難易度設定手段が算出した難易度、その難易度に基づくプレーヤーのグロススコアを記憶するもので、一般に、プレー日、プレーヤーに対するグロススコア、ゴルフ場または１８ホールからなるコースの難易度を格納する。勿論、それ以外に天候、気温等の気象情報を記憶するのが望ましい。
更にまた、スタンダードハンディ算出手段は、所定の期間中の前記記憶手段が記憶するコース難易度設定手段が算出した難易度に基づくプレーヤーのグロススコアを、特定ゴルフ場でのプレー回数に応じた算出方法でプレーヤー別に算出し、プレーヤー別にハンディキャップ（本発明によって算出されたハンディキャップを、以下、『スタンダードハンディキャップ』と呼ぶこととする）を算出する。このとき、グロススコアの分布状態によっては平均値、偏差値によってハンディキャップを算出することができる。なお、プレーヤー自体にそのスコアの意味が理解できるようにするには、単純平均をもって算出した方が望ましい。また、プレー回数が所定期間内に所定回数以下の場合には、「準スタンダードハンディキャップ（規定プレー数に達していないがほぼ「スタンダードハンディキャップ」に近いハンディキャップであるとの認定されたもの）」、「仮スタンダードハンディキャップ（規定プレー数からは外れているが、楽しむために準備されたプレー回数によって変化する可能性のあるハンディキャップである）」とすることができる。「スタンダードハンディキャップ」は、グロススコアからゴルフ場の従来からあるコースの「トータルパー」及び「コース難易度」を減算した値の所定プレー回数の平均値または複数のグロススコアが乱れている場合には偏差値とすることもできる。そして、当該ゴルフ場のコースの「スタンダードパー（＝トータルパー＋コース難易度）」を算出することもできる。
加えて、本発明で確率的に決定するフェアウェー難易度、グリーン難易度、コース難易度には、地形的要件、季節、天候、降雨量、外気温、風速、風向の１以上の気象情報に基づく物理的変量の要件を基にして算出される。勿論、降雪、積雪の場合もありうる。本発明のこれらの難易度は、地形情報に基づく難易度と気象情報に基づく物理的変量によって決定される難易度によって特定した難易度の値を用いるものである。ここで、四季または月単位に変化する程度の難易度の違いは、四季または月単位の当該ゴルフ場の地形情報に基づく難易度として特定してもよい。そして、天候、降雨量、外気温、風速、風向等の気象情報に基づく物理的変量によって、地形情報に基づく難易度を補正してもよい。また、地形情報に基づく難易度と気象情報に基づく物理的変量によって決定される難易度の一方のみが殆ど変化しない場合には、他方のみとすることができる。一般的には、地形的な要件を固定とし、天候、降雨量、外気温、風速、風向の１以上の気象情報に基づく物理的変量の要件によって補正するのが望ましい。
【０００９】
請求項２のゴルフのハンディキャップ設定装置は、ホール毎に地形情報に基づく難易度及び／または気象情報に基づく物理的変量によって決定される難易度から１８ホールのコース難易度を決定するコース難易度設定手段と、前記コース難易度設定手段が決定した難易度に基づくプレーヤーのグロススコアを記憶する記憶手段と、所定の期間内の前記記憶手段が記憶するコース難易度設定手段が決定した難易度に基づくプレーヤーのグロススコアからそのプレー回数に応じたハンディキャップを算出するスタンダードハンディ算出手段を具備するものである。
ここで、上記コース難易度設定手段は、各ホールのティーアップからホールアウトまでの地形情報に基づく難易度及び／または気象情報に基づく物理的変量によって決定される難易度を決定するものであり、具体的には、各ホールのティーポジションからグリーンオンするまでの難易度及び各ホールのグリーン上からホールアウトまでのトータルの難易度を決定するもので、例えば、フェアウェーにおいては、コースの幅、コース側面の状態、側面がＯＢであるか否か、バンカーの大きさと位置、ウォーターハザードの大きさ位置、谷越え、打下ろしの場合の風の影響、花道の位置と広さ、草の成長度、グリーン上においては、ステンプメータによって測定される各ホールに対する芝目及びアンジュレーションによる転がりの違い、２段グリーンの段差の高さ、傾斜面の広さ、芝の伸び等をトータル的に算出されるものである。
この１８ホールのコースは、例えば、２７ホールを有するゴルフ場は、９ホールのハーフの組み合わせにより、３コースの組み合わせができ、実質的に３つのゴルフ場として扱うことができる。したがって、上記コース難易度設定手段は、１８ホールからなるゴルフ場及び１８ホールからなるコースを１ゴルフ場の単位として特定するものである。
また、上記記憶手段は、コース難易度設定手段が算出した難易度に基づくプレーヤーのグロススコアを記憶するもので、プレーヤーに対して、グロススコア、ゴルフ場または１８ホールからなるコースの難易度を格納し、勿論、これ以外の天候、温度等の気象情報を記憶してもよい。
そして、スタンダードハンディ算出手段は、所定の期間中の前記記憶手段が記憶するコース難易度設定手段が決定したコース難易度に基づくプレーヤーのグロススコアを、プレー回数に応じた算出方法で平均を算出して「スタンダードハンディキャップ」を算出する。このとき、グロススコアの分布状態によっては平均値、偏差値によってハンディキャップを算出することができる。このときプレー回数が所定期間内に所定回数以下の場合には、「仮スタンダードハンディキャップ」とすることができる。「スタンダードハンディキャップ」は、グロススコアからゴルフ場の従来からある「トータルパー」及び「難易度」を減算した値となる。そして、当該ゴルフ場のコースの「スタンダードパー（＝トータルパー＋コース難易度）」を算出することもできる。
加えて、本発明で確率的に算出するコース難易度には、地形的要件、季節、天候、降雨量、外気温、風速、風向の１以上の気象情報に基づく物理的変量の要件を基にして算出される。勿論、降雪、積雪の場合もありうる。本発明のコース難易度は、地形情報に基づく難易度と気象情報に基づく物理的変量によって決定される各種難易度によって特定した難易度の値を用いるものである。ここで、四季または月単位に変化する程度のコース難易度の違いは、四季または月単位の当該ゴルフ場の地形情報に基づく難易度として特定してもよい。そして、天候、降雨量、外気温、風速、風向等の気象情報に基づく物理的変量によって、地形情報に基づく難易度を補正してもよい。一般的には、地形的な要件を固定とし、天候、降雨量、外気温、風速、風向の１以上の気象情報に基づく物理的変量の要件によって補正するのが望ましい。
【００１０】
請求項３のゴルフのハンディキャップ設定装置の難易度補正手段は、所定期間内に特定のゴルフ場でＪＧＡのオフィシャルハンディキャップを取得したり、変更したプレーヤーが、ＪＧＡのオフィシャルハンディキャップを取得したり、変更したりした以外のゴルフ場でプレーをした場合で、該当するプレーヤーの数が所定数になったとき、前記ラウンド難易度設定手段によって設定された難易度を補正するものである。即ち、所定期間内に特定のゴルフ場でＪＧＡのオフィシャルハンディキャップを取得したプレーヤーの複数が同様な結果を生じさせているとき、或いは複数の人の偏差値が近似しているとき、難易度の平均的な換算値として、それによって難易度を補正することができる。これによって、ゴルフ場毎に設定していた少なくともコース難易度設定手段で算出した難易度の相対誤差を少なくすることができる。また、フェアウェー難易度設定手段、グリーン難易度設定手段についても記憶手段に格納しているデータによっては、少なくともゴルフ場間のコース難易度の補正が可能である。この繰り返しによって、ゴルフ場間の少なくともコース難易度を確定させることができる。ここで、該当するプレーヤーの数が所定数になったときとは、個性を是正することができる意味である。
【００１１】
請求項４のゴルフのハンディキャップ設定装置の難易度補正手段は、更に、難易度補正手段によって、所定期間内に特定のゴルフ場でプレーヤーが複数回プレーし、また、所定期間内に前記特定のゴルフ場とは異なるゴルフ場で同一プレーヤーが複数回プレーした場合で、該当するプレーヤーの数が所定数になったとき、前記コース難易度設定手段によって設定された難易度を補正するものである。即ち、所定期間内に異なる複数のゴルフ場で同一プレーヤーが複数回プレーしているとき、或いは複数の人の偏差値が近似しているとき、難易度の平均的な換算値として、それによって難易度を補正することができる。これによって、ゴルフ場毎に設定していた少なくともコース難易度設定手段で算出した難易度の相対誤差を少なくすることができる。また、フェアウェー難易度設定手段、グリーン難易度設定手段についても記憶手段に格納しているデータによっては、それらの難易度の補正が可能である。この繰り返しによって、少なくともゴルフ場間のコース難易度を確定させることができる。ここで、同一プレーヤーが複数回プレーしているときと限定したのは、１回では偶然の結果である可能性があり、それを回避するには、近似した値を採用する必要がある。そこで、同一プレーヤーが複数回プレーした結果を採用するものである。
なお、所定期間内に特定のゴルフ場でプレーヤーが複数回プレーし、また、所定期間内に前記特定のゴルフ場とは異なるゴルフ場で同一プレーヤーが複数回プレーした場合の該当するプレーヤーは、所定期間内に特定のゴルフ場でＪＧＡのオフィシャルハンディキャップを取得したり、変更したプレーヤーが、ＪＧＡのオフィシャルハンディキャップを取得したり、変更したりした以外のゴルフ場でプレーをしたプレーヤーを含ませることができる。
【００１２】
請求項５のゴルフのハンディキャップ設定装置の前記難易度補正手段によるコース難易度設定手段によって設定された難易度の補正は、所定の期間毎に更新するものであり、各ゴルフ場間の難易度の補正を徐々に収束した値とすることができる。このとき、所定の期間毎の更新は、１〜６ヶ月または１年に１回とすることができる。更新によって各ゴルフ場間の難易度が変化する可能性があるから、通常、２または３ヶ月または６ヶ月に１回程度が望ましい。
【００１３】
請求項６のゴルフのハンディキャップ設定装置の前記コース難易度設定手段及び／または前記フェアウェー難易度設定手段及び／またはグリーン難易度設定手段における気象情報に基づく物理的変量によって決定される難易度とは、天候、降雨量、外気温、風速、風向の１以上とし、地形情報に基づく難易度を補正するものであり、ここで、気象情報の物理的変量として、具体的には、季節、天候、降雨量、風向き、風速によって、２〜５段階または５〜１０段階以上に設定することができる。
【００１４】
請求項７のゴルフのハンディキャップ設定装置は、更に、前記記憶手段に前記コース難易度設定手段が算出した難易度に基づくコースで実際にプレーしたグロススコアを当該難易度とプレー日と共に記載するものである。そして、必要に応じて、天候、降雨量、外気温、風速、風向の１以上と共に記憶するものである。即ち、プレーヤーとしてはグロススコア及び難易度、プレー日があればよいが、ゴルフ場相互間情報としては、天候、降雨量、外気温、風速、風向の影響を補正することにより、よりよい管理情報とすることができる。
【００１５】
請求項８のゴルフのハンディキャップ設定方法は、各ホールのティーポジションからグリーンオンまでの地形情報に基づく難易度及び／または気象情報に基づく物理的変量によって決定される難易度を算出するフェアウェー難易度設定工程と、各ホールのグリーンオンからホールアウトまでの地形情報に基づく難易度及び／または気象情報に基づく物理的変量によって決定される難易度を算出するグリーン難易度設定工程と、前記ホール毎のフェアウェー難易度設定工程及びグリーン難易度設定工程で算出した難易度から１８ホールのコース難易度を算出するコース難易度設定工程と、前記コース難易度設定工程が算出した難易度に基づくコースで実際にプレーしたグロススコアを当該難易度と共に記憶する記憶工程と、前記記憶工程で記憶する前記コース難易度設定工程が算出した難易度に基づくグロススコアから、特定のプレーヤーが所定の期間内のプレー回数に応じたハンディキャップを特定のプレーヤー毎に算出するスタンダードハンディキャップ算出工程を経て算出するものである。
ここで、上記フェアウェー難易度設定工程は、各ホールのティーポジションからグリーンまでの難易度を決定するものであり、プレーヤーがティーポジションでティーアップし、グリーンオンするまでの難易度を決定するものである。具体的には、コースの幅、コース側面の状態、例えば、斜面であるか否か、側面がＯＢであるか否か等、バンカーの大きさと位置、ウォーターハザードの大きさ位置、谷越え、打下ろしの場合の風の影響等、花道の位置と広さ、草の成長度等によって、フェアウェー難易度を確率的に算出するものである。
また、上記グリーン難易度設定工程は、各ホールのグリーン上からホールまでのグリーン難易度を決定するもので、ステンプメータによって測定される各ホールに対する芝目及びアンジュレーションによる転がりの違い、２段グリーンの段差の高さ、傾斜面の広さ、芝の伸び等によって算出されるものである。
そして、上記コース難易度設定工程は、各ホール毎のフェアウェー難易度設定工程及びグリーン難易度設定工程で決定した難易度から１８ホールのコース難易度を決定する。この１８ホールのコースは、例えば、２７ホールを有するゴルフ場は、９ホールのハーフの組み合わせにより、３コースの組み合わせができ、実質的に３つのゴルフ場として扱うことができる。したがって、上記コース難易度設定工程は、１８ホールからなるゴルフ場及び１８ホールからなるコースを１ゴルフ場の単位として特定するものである。
更に、上記記憶工程は、コース難易度設定工程が算出したコース難易度に基づくプレーヤーのグロススコアを記憶するもので、プレーヤーに対して、グロススコア、ゴルフ場または１８ホールからなるコースのコース難易度を格納し、これ以外の天候、温度等の気象情報の記憶が望ましい。
更にまた、スタンダードハンディ算出工程は、所定の期間中の前記記憶工程が記憶するコース難易度設定工程が算出した難易度に基づくプレーヤーのグロススコアを、プレー回数に応じた算出方法で「スタンダードハンディキャップ」を算出する。このとき、分布状態によっては平均値、偏差値によってハンディキャップを算出することができる。このときプレー回数が所定期間内に所定回数以下の場合には、「準スタンダードハンディキャップ」、「仮スタンダードハンディキャップ」とすることができる。ここで、「スタンダードハンディキャップ」は、グロススコアからゴルフ場の従来からある「トータルパー」及び「コース難易度」を減算した値の平均値または偏差値となる。そして、当該ゴルフ場のコースの「スタンダードパー（＝トータルパー＋コース難易度）」を算出することもできる。
加えて、本発明のコース難易度には、地形的要件、季節、天候、降雨量、外気温、風速、風向の１以上の気象情報に基づく物理的変量の要件を基にして算出される。勿論、降雪、積雪の場合もありうる。本発明のコース難易度は、地形情報に基づく難易度と気象情報に基づく物理的変量によって決定される難易度によって特定した難易度の値を用いるものである。ここで、四季または月単位に変化する程度の難易度の違いは、四季または月単位の当該ゴルフ場の地形情報に基づく難易度として特定してもよい。そして、天候、降雨量、外気温、風速、風向等の気象情報に基づく物理的変量によって、地形情報に基づく難易度を補正してもよい。一般的には、地形的な要件を固定とし、天候、降雨量、外気温、風速、風向の１以上の気象情報に基づく物理的変量の要件によって補正するのが望ましい。
【００１６】
請求項９のゴルフのハンディキャップ設定方法は、ホール毎に地形情報に基づく難易度及び／または気象情報に基づく物理的変量によって決定される難易度から１８ホールのコース難易度を算出するコース難易度設定工程と、前記コース難易度設定工程が決定した難易度に基づくコースで実際にプレーしたグロススコアを当該難易度と共に記憶する記憶工程と、前記記憶工程で記憶する前記コース難易度設定工程が決定した難易度に基づくグロススコアから、特定のプレーヤーが所定の期間内のプレー回数に応じたハンディキャップを特定のプレーヤー毎に算出するスタンダードハンディキャップ算出工程を経て算出するものである。
ここで、上記コース難易度設定工程は、各ホールのティーアップからホールアウトまでの地形情報に基づく難易度及び／または気象情報に基づく物理的変量によって決定される難易度を決定するものであり、具体的には、各ホールのティーポジションからグリーンオンするまでの難易度及び各ホールのグリーン上からホールアウトまでの難易度を確率的に決定するものである。例えば、フェアウェーにおいては、コースの幅、コース側面の状態、側面がＯＢであるか否か、バンカーの大きさと位置、ウォーターハザードの大きさ位置、谷越え、打下ろしの場合の風の影響等、花道の位置と広さ、草の成長度等、グリーン上においては、ステンプメータによって測定される各ホールに対する芝目及びアンジュレーションによる転がりの違い、２段グリーンの段差の高さ、傾斜面の広さ、芝の伸び等をトータル的に算出されるものである。上記コース難易度設定工程は、１８ホールのコース難易度を決定する。この１８ホールのコースは、例えば、２７ホールを有するゴルフ場は、９ホールのハーフの組み合わせにより、３コースの組み合わせができ、実質的に３つのゴルフ場として扱うことができる。したがって、上記コース難易度設定工程は、１８ホールからなるゴルフ場及び１８ホールからなるコースを１ゴルフ場の単位として特定するものである。
また、上記記憶工程は、コース難易度設定工程が算出した難易度に基づくプレーヤーのグロススコアを記憶するもので、プレーヤーに対して、グロススコア、ゴルフ場または１８ホールからなるコースの難易度を格納し、これ以外の天候、温度等の気象情報を記憶するのが望ましい。
そして、スタンダードハンディ算出工程は、所定の期間中の前記記憶工程が記憶するコース難易度設定工程が算出した難易度に基づくプレーヤーのグロススコアを、プレー回数に応じた算出方法でハンディキャップを算出する。このとき、分布状態によっては平均値、偏差値によって「スタンダードハンディキャップ」を算出することができる。このときプレー回数が所定期間内に所定回数以下の場合には、「仮スタンダードハンディキャップ」とすることができる。ここで、「スタンダードハンディキャップ」は、グロススコアからゴルフ場の従来からある「トータルパー」及び「コース難易度」を減算した所定プレー回数の平均値または偏差値として算出される。そして、当該ゴルフ場のコースの「スタンダードパー（＝トータルパー＋コース難易度）」を算出することもできる。
加えて、本発明で確率的に算出する難易度には、地形的要件、季節、天候、降雨量、外気温、風速、風向の１以上の気象情報に基づく物理的変量の要件を基にして算出される。勿論、降雪、積雪の場合もありうる。本発明の難易度は、地形情報に基づく難易度と気象情報に基づく物理的変量によって決定される難易度によって特定した難易度の値を用いるものである。ここで、四季または月単位に変化する程度の難易度の違いは、四季または月単位の当該ゴルフ場の地形情報に基づく難易度として特定してもよい。そして、天候、降雨量、外気温、風速、風向等の気象情報に基づく物理的変量によって、地形情報に基づく難易度を補正してもよい。一般的には、地形的な要件を固定とし、天候、降雨量、外気温、風速、風向の１以上の気象情報に基づく物理的変量の要件によって補正するのが望ましい。
【００１７】
請求項１０のゴルフのハンディキャップ設定方法の難易度補正工程は、更に、所定期間内に特定のゴルフ場でＪＧＡオフィシャルハンディキャップを取得したプレーヤーが、ＪＧＡオフィシャルハンディキャップを取得した以外のゴルフ場でプレーをした場合で、該当するプレーヤーの数が所定数になったとき、前記コース難易度設定工程によって設定された難易度を補正するものである。即ち、所定期間内に特定のゴルフ場でオフィシャルハンディキャップを取得したプレーヤーの複数が同様な結果を生じさせているとき、或いは複数の人の偏差値が近似しているとき、難易度の平均的な換算値として、それによって難易度を補正することができる。これによって、ゴルフ場毎に設定していた少なくともコース難易度設定工程で算出した難易度の相対誤差を少なくすることができる。また、フェアウェー難易度設定工程、グリーン難易度設定工程についても記憶手段に格納しているデータによっては、難易度の補正が可能である。この繰り返しによって、ゴルフ場間の難易度を確定させることができる。
【００１８】
請求項１１のゴルフのハンディキャップ設定方法の難易度補正工程は、更に、所定期間内に特定のゴルフ場でプレーヤーが複数回プレーし、また、所定期間内に前記特定のゴルフ場とは異なるゴルフ場で同一プレーヤーが複数回プレーした場合で、該当するプレーヤーの数が所定数になったとき、前記コース難易度設定手段によって設定された難易度を補正するものである。即ち、所定期間内に異なる複数のゴルフ場で同一プレーヤーが複数回プレーしているとき、或いは複数の人の偏差値が近似しているとき、難易度の平均的な換算値として、それによって難易度を補正することができる。これによって、ゴルフ場毎に設定していた少なくともコース難易度設定工程で算出した難易度の相対誤差を少なくすることができる。また、フェアウェー難易度設定工程、グリーン難易度設定工程についても記憶工程に格納しているデータによっては、難易度の補正が可能である。この繰り返しによって、ゴルフ場間の難易度が確定させることができる。
【発明の効果】
【００１９】
請求項１にかかるゴルフのハンディキャップ設定装置は、フェアウェー難易度設定手段によって各ホールのティーポジションからグリーンオンまでの難易度を決定し、また、グリーン難易度設定手段によって各ホールのグリーン上でホールアウトするまでの難易度を決定する。そして、コース難易度設定手段によって前記ホール毎のフェアウェー難易度設定手段及びグリーン難易度設定手段で算出した難易度から１８ホールのコース難易度を決定し、その前記コース難易度設定手段が決定した難易度に基づくプレーヤーのグロススコアを記憶手段に記憶する。そして、スタンダードハンディキャップ算出手段は、前記記憶手段が記憶する前記コース難易度設定手段が算出した難易度に基づくプレーヤーのグロススコアから、所定の期間内のプレー回数に応じたスタンダードハンディキャップを算出するものである。
したがって、ホール毎のフェアウェー難易度設定手段で各ホールのティーポジションからグリーンまでと、グリーン難易度設定手段でフェアウェー難易度設定手段によって各ホールのグリーン上からホールアウトするまでの難易度を分離して考え、その難易度を確率的に算出するものであるから、人為的誤差が入り難く、自然界の影響についてグリーンとフェアウェーで区分けしたことにより、難易度の設定が容易になる。
また、コース難易度設定手段によってホール毎のフェアウェー難易度設定手段及びグリーン難易度設定手段で算出した難易度から１ラウンドする１８ホールのコース難易度を算出し、その前記コース難易度設定手段が算出した難易度に基づくプレーヤーのグロススコアを記憶手段に記憶するものであるから、記憶手段には、１ラウンドする１８ホールのコースによる難易度がプレーヤー、グロススコアと共に記憶されており、それを用いてスタンダードハンディキャップ算出手段は、グロススコアからゴルフ場の従来からある「トータルパー」及び「コース難易度」を減算した所定プレー回数の平均値または偏差値となる「スタンダードハンディキャップ」を算出できる。そして、当該ゴルフ場のコースの「スタンダードパー（＝トータルパー＋コース難易度）」を算出することもできる。
したがって、爾後、特定の日にプレーをする場合には、各メンバーの「スタンダードハンディキャップ」を用いて、ゴルフ場が設定した難易度によって個人のハンディキャップを修正すれば、何れのゴルフ場においても、個人別のハンディキャップが生き、ゴルフ場相互間の難易度の違いを是正し、そのプレー日に合致した全てのゴルファーに公正なハンディキャップを付与でき、ゴルフの普及と活性化を図ることができる。
また、これは、ゴルフ場のメンバーがそのメンバーとなっているホームコースで特定の期間内に複数回ラウンドし付与されたＪＧＡオフィシャルハンディキャップと異なり、特定のゴルフ場でプレーをするとき、それを登録することによって、ゴルフメンバー権の有無に関係なくハンディキャップを取得することができる。また、ＪＧＡオフィシャルハンディキャップと並存させることもできる。
そして、本発明のゴルフのハンディキャップ設定装置は、プレーヤーのグロススコアに応じた難易度を複数用意し、プレーヤーの能力に応じたスタンダードハンディキャップを設定することができる。
更に、日々の難易度の違いが少ない地形情報に基づく難易度は、当該ゴルフ場の固有値として特定した難易度の値を用いることができる。例えば、四季または月単位に変化する程度の難易度の違いは、四季または月単位の当該ゴルフ場の固有値として難易度を特定してもよい。そして、季節、天候、降雨量、外気温、風速、風向のみで、難易度を補正してもよい。一般的には、地形的な要件を固定とし、季節、天候、降雨量、外気温、風速、風向の１以上の気象情報に基づく物理的変量の要件によって補正するのが望ましい。即ち、地形的な要件を固定とすると、季節、天候、降雨量、外気温、風速、風向の１以上の気象情報によって難易度が管理可能となる。
よって、ゴルフ場相互間の難易度の違いを是正し、そのプレー日に合致した全てのゴルファーに公正なハンディキャップを付与可能とし、ゴルフの普及と活性化を図ることができる。
【００２０】
請求項２のゴルフのハンディキャップ設定装置は、コース難易度設定手段によってホール毎のフェアウェーの難易度及びグリーンの難易度で算出した難易度から１８ホールのコース難易度を算出し、その前記コース難易度設定手段が算出した難易度に基づくプレーヤーのグロススコアを記憶手段に記憶する。そして、スタンダードハンディキャップ算出手段は、前記記憶手段が記憶する前記コース難易度設定手段が算出した難易度に基づくプレーヤーのグロススコアから、所定の期間内のプレー回数に応じた「スタンダードハンディキャップ」を算出するものである。
したがって、ホール毎のティーポジションからホールアウトするまでの難易度を一体にして考え、その難易度を確率的に算出するものであるから、人為的誤差が入り難く、コース難易度の設定が容易になる。
また、コース難易度設定手段によってホール毎の難易度から１ラウンドする１８ホールのコース難易度を算出し、その前記コース難易度設定手段が算出した難易度に基づくプレーヤーのグロススコアを記憶手段に記憶するものであるから、記憶手段には、１ラウンドする１８ホールのコースによるコース難易度が、少なくとも、プレーヤー、グロススコアと共に記憶されており、それを用いてスタンダードハンディキャップ算出手段は、グロススコアからゴルフ場の従来からある「トータルパー」及び「コース難易度」を減算した値となる「スタンダードハンディキャップ」を算出できる。そして、当該ゴルフ場のコースの「スタンダードパー（＝トータルパー＋コース難易度）」を算出することもできる。
したがって、爾後、特定の日にプレーをする場合には、各メンバーのスタンダードハンディキャップを用いて、ゴルフ場が設定したコース難易度によってハンディキャップを修正すれば、何れのゴルフ場においても、個人別のスタンダードハンディキャップが生き、ゴルフ場相互間の難易度の違いを是正し、そのプレー日に合致した全てのゴルファーに公正なハンディキャップを付与でき、ゴルフの普及と活性化を図ることができる。
また、これは、ゴルフ場のメンバーがそのメンバーとなっているホームコースで特定の期間内に複数回ラウンドし付与されたＪＧＡのオフィシャルハンディキャップと異なり、特定のゴルフ場でプレーをするとき、それを登録することによって、ゴルフメンバー権の有無に関係なくハンディキャップを取得することができる。また、ＪＧＡオフィシャルハンディキャップと並存することもできる。
そして、本発明のゴルフのハンディキャップ設定装置は、プレーヤーのグロススコアに応じたコース難易度を複数用意し、プレーヤーの能力に応じたスタンダードハンディキャップを設定することもできる。
更に、日々の難易度の違いが少ない地形情報に基づく難易度は、当該ゴルフ場の固有値として特定した難易度の値を用いることができる。例えば、四季または月単位に変化する程度の難易度の違いは、四季または月単位の当該ゴルフ場の固有値として難易度を特定してもよい。そして、季節、天候、降雨量、外気温、風速、風向のみで、難易度を補正してもよい。一般的には、地形的な要件を固定とし、季節、天候、降雨量、外気温、風速、風向の１以上の気象情報に基づく物理的変量の要件によって補正するのが望ましい。即ち、地形的な要件を固定とすると、季節、天候、降雨量、外気温、風速、風向の１以上の気象情報によって難易度が管理可能となる。
よって、ゴルフ場相互間の難易度の違いを是正し、そのプレー日に合致した全てのゴルファーに公正なハンディキャップを付与可能とし、ゴルフの普及と活性化を図ることができる。
【００２１】
請求項３にかかるゴルフのハンディキャップ設定装置の難易度補正手段は、所定期間内に特定のゴルフ場でＪＧＡオフィシャルハンディキャップを取得または変更したプレーヤーが、ＪＧＡオフィシャルハンディキャップを取得または変更した以外のゴルフ場でプレーをした場合で、該当するプレーヤーの数が所定数になったとき、前記コース難易度設定手段によって設定された難易度を補正するものであるから、請求項１または請求項２に記載の効果に加えて、前記コース難易度設定手段によって設定された難易度は各ゴルフ場で計算されるが、その難易度の違いは、実際にプレーしたプレーヤーのデータによって補正することができ、それらのデータの蓄積によって、それまでの論理的なハンディキャップから本来あるべき現実的なハンディキャップに収束させることができる。
【００２２】
請求項４にかかるゴルフのハンディキャップ設定装置の難易度補正手段は、難易度補正手段によって所定期間内に特定のゴルフ場でプレーヤーが複数回プレーし、また、所定期間内に前記特定のゴルフ場とは異なるゴルフ場で同一プレーヤーが複数回プレーした場合で、該当するプレーヤーの数が所定数になったとき、前記コース難易度設定手段によって設定された難易度を補正するものである。即ち、所定期間内に異なる複数のゴルフ場で同一プレーヤーが複数回プレーしているとき、或いは複数の人の偏差値が近似しているとき、難易度の平均的な換算値として、それによって難易度を補正することができる。これによって、請求項１または請求項２に記載の効果に加えて、ゴルフ場毎に設定していた少なくともコース難易度設定手段で算出した難易度の誤差を少なくすることができる。また、フェアウェー難易度設定手段、グリーン難易度設定手段についても記憶手段に格納しているデータによっては、難易度の補正が可能である。この繰り返しによって、ゴルフ場間の難易度が確定させることができ、それまでの論理的なハンディキャップから本来あるべき現実的なハンディキャップに収束させることができる。
【００２３】
請求項５にかかるゴルフのハンディキャップ設定装置の前記難易度補正手段によるコース難易度設定手段によって設定された難易度の補正は、所定の期間毎に更新するものであるから、請求項１乃至請求項４の何れか１つに記載の効果に加えて、各ゴルフ場間の難易度の補正を徐々に本来あるべき現実的な難易度に収束した値とすることができる。したがって、経年変化で、その信頼性を高揚することができる。
【００２４】
請求項６にかかるゴルフのハンディキャップ設定装置の前記コース難易度設定手段、前記フェアウェー難易度設定手段、グリーン難易度設定手段の何れかの気象情報に基づく物理的変量によって決定される難易度とは、季節、天候、降雨量、外気温、風速、風向の１以上によって補正するものであり、ここで、気象情報の物理的変量として、具体的には、季節、天候、降雨量、風向き、風速によって、２〜５段階または５〜１０段階以上に設定することができる。したがって、地形的な要件を固定とし、季節、天候、降雨量、外気温、風速、風向の１以上の気象情報によって難易度が管理可能となる。
特に、天候または季節に応じて、降雨量、外気温、風速、風向によって難易度を、地形的な要件に加算して、その補正を行うものである。例えば、晴天及び曇天の場合で、通常、風速が３ｍ／秒以下では、殆ど、地形的な要件に起因する難易度のみとすることができる。また、水はけのよいグリーンであり、晴れと雨では、ボールの転がる距離が変化するが、芝目による方向性の特徴がなくなる場合には、天候及び降雨量について、プレーができる条件においては、使用する必要がなくなり、合理的な運用が可能となる。
【００２５】
請求項７にかかるゴルフのハンディキャップ設定装置の前記記憶手段には、前記コース難易度設定手段が算出した難易度に基づくコースで実際にプレーしたグロススコアを当該難易度とプレー日と共に記載するものであるから、請求項１乃至請求項６の何れか１つに記載の効果に加えて、ゴルフ場相互間情報として、必要に応じて、季節、天候、降雨量、外気温、風速、風向の１以上と共に記憶するものである。即ち、プレーヤーとしてはグロススコア及び難易度情報、プレー日があればよいが、ゴルフ場相互間情報としては、季節、天候、降雨量、外気温、風速、風向の影響を補正することにより、よりよい管理情報とすることができる。
【００２６】
請求項８にかかるゴルフのハンディキャップ設定方法は、フェアウェー難易度設定工程によって各ホールのティーポジションからグリーンオンまでの難易度を決定し、また、グリーン難易度設定工程によって各ホールのグリーン上でホールアウトするまでの難易度を決定する。そして、コース難易度設定工程によって前記ホール毎のフェアウェー難易度設定工程及びグリーン難易度設定工程で決定した難易度から１８ホールのコース難易度を決定し、その前記コース難易度設定工程が算出した難易度に基づくプレーヤーのグロススコアを記憶工程で記憶する。そして、スタンダードハンディキャップ算出工程は、前記記憶工程が記憶する前記コース難易度設定工程が算出した難易度に基づくプレーヤーのグロススコアから、所定の期間内のプレー回数に応じたハンディキャップを算出するものである。
したがって、ホール毎のフェアウェー難易度設定工程で各ホールのティーポジションからグリーンまでと、グリーン難易度設定工程でフェアウェー難易度設定工程によって各ホールのグリーン上からホールアウトするまでの難易度を分離して考え、その難易度を決定するものであるから、人為的誤差が入り難く、自然界の影響についてグリーンとフェアウェーとで区分けしたことにより、難易度の設定が容易になる。
また、コース難易度設定工程によってホール毎のフェアウェー難易度設定工程及びグリーン難易度設定工程で算出した難易度から１ラウンドする１８ホールのコース難易度を算出し、その前記コース難易度設定工程が算出した難易度に基づくプレーヤーのグロススコアを記憶工程で記憶するものであるから、記憶工程には、１ラウンドする１８ホールのコースによる難易度がプレーヤー、グロススコアと共に記憶されており、それを用いてスタンダードハンディキャップ算出工程は、標準的なゴルフ場でプレーした場合の仮想ハンディキャップを算出できる。
したがって、爾後、特定の日にプレーをする場合には、各メンバーの仮想ハンディキャップを用いて、ゴルフ場固有の難易度によってハンディキャップを修正すれば、何れのゴルフ場においても、個人別のハンディキャップが生き、ゴルフ場相互間の難易度の違いを是正し、そのプレー日に合致した全てのゴルファーに公正なハンディキャップを付与でき、ゴルフの普及と活性化を図ることができる。
また、これは、ゴルフ場のメンバーがそのメンバーとなっているホームコースで特定の期間内に複数回ラウンドし付与されたＪＧＡのオフィシャルハンディキャップと異なり、特定のゴルフ場でプレーをするとき、それを登録することによって、ゴルフメンバー権の有無に関係なくハンディキャップを取得することができる。また、ＪＧＡハンディキャップと並存することもできる。
更に、日々の難易度の違いが少ない地形情報に基づく難易度は、当該ゴルフ場の固有値として特定した難易度の値を用いることができる。例えば、四季または月単位に変化する程度の難易度の違いは、四季または月単位の当該ゴルフ場の固有値として難易度を特定してもよい。そして、季節、天候、降雨量、外気温、風速、風向のみで、難易度を補正してもよい。一般的には、地形的な要件を固定とし、季節、天候、降雨量、外気温、風速、風向の１以上の気象情報に基づく物理的変量の要件によって補正するのが望ましい。即ち、地形的な要件を固定とすると、季節、天候、降雨量、外気温、風速、風向の１以上の気象情報によって難易度が管理可能となる。
よって、ゴルフ場相互間の難易度の違いを是正し、そのプレー日に合致した全てのゴルファーに公正なハンディキャップを付与可能とし、ゴルフの普及と活性化を図ることができる。
【００２７】
請求項９のゴルフのハンディキャップ設定方法は、コース難易度設定工程によってホール毎のフェアウェーの難易度及びグリーンの難易度で決定した難易度から１８ホールのコース難易度を算出し、その前記コース難易度設定工程が決定した難易度に基づくプレーヤーのグロススコアを記憶工程で記憶する。そして、スタンダードハンディキャップ算出工程は、前記記憶工程が記憶する前記コース難易度設定工程が決定した難易度に基づくプレーヤーのグロススコアから、所定の期間内のプレー回数に応じたハンディキャップを算出するものである。
したがって、ホール毎の各ホールのティーポジションからホールアウトするまでの難易度を一体にして考え、その難易度を確率的に算出するものであるから、人為的誤差が入り難く、自然界の影響についての区分けしたことにより、難易度の設定が容易になる。
また、コース難易度設定工程によってホール毎の難易度から１ラウンドする１８ホールのコース難易度を算出し、その前記コース難易度設定工程が算出した難易度に基づくプレーヤーのグロススコアを記憶工程で記憶するものであるから、記憶工程には、１ラウンドする１８ホールのコースによる難易度が、少なくとも、プレーヤー、グロススコアと共に記憶されており、それを用いてスタンダードハンディキャップ算出工程は、標準的なゴルフ場でプレーした場合の仮想ハンディキャップを算出できる。
したがって、爾後、特定の日にプレーをする場合には、各メンバーの仮想ハンディキャップを用いて、ゴルフ場が設定した難易度によってハンディキャップを修正すれば、何れのゴルフ場においても、個人別のハンディキャップが生き、ゴルフ場相互間の難易度の違いを是正し、そのプレー日に合致した全てのゴルファーに公正なハンディキャップを付与でき、ゴルフの普及と活性化を図ることができる。
また、これは、ゴルフ場のメンバーがそのメンバーとなっているホームコースで特定の期間内に複数回ラウンドし付与されたＪＧＡオフィシャルハンディキャップと異なり、特定のゴルフ場でプレーをするとき、それを登録することによって、ゴルフメンバー権の有無に関係なくハンディキャップを取得することができる。また、ＪＧＡオフィシャルハンディキャップと並存することもできる。
更に、日々の難易度の違いが少ない地形情報に基づく難易度は、当該ゴルフ場の固有値として特定した難易度の値を用いることができる。例えば、四季または月単位に変化する程度の難易度の違いは、四季または月単位の当該ゴルフ場の固有値として難易度を特定してもよい。そして、季節、天候、降雨量、外気温、風速、風向のみで、難易度を補正してもよい。一般的には、地形的な要件を固定とし、季節、天候、降雨量、外気温、風速、風向の１以上の気象情報に基づく物理的変量の要件によって補正するのが望ましい。即ち、地形的な要件を固定とすると、季節、天候、降雨量、外気温、風速、風向の１以上の気象情報によって難易度が管理可能となる。
よって、ゴルフ場相互間の難易度の違いを是正し、そのプレー日に合致した全てのゴルファーに公正なハンディキャップを付与可能とし、ゴルフの普及と活性化を図ることができる。
【００２８】
請求項１０のゴルフのハンディキャップ設定方法は、所定期間内に特定のゴルフ場でＪＧＡオフィシャルハンディキャップを取得したプレーヤーが、ＪＧＡオフィシャルハンディキャップを取得した以外のゴルフ場でプレーをした場合、該当するプレーヤーの数が所定数になったとき、前記コース難易度設定工程によって設定された難易度を補正するものであるから、請求項８または請求項９に記載の効果に加えて、所定期間内に特定のゴルフ場でＪＧＡオフィシャルハンディキャップを取得したプレーヤーの複数が同様な結果を生じさせているとき、或いは複数の人の偏差値が近似しているとき、難易度の平均的な換算値として、それによって難易度を補正することができる。これによって、ゴルフ場毎に設定していた少なくともコース難易度設定工程で算出した難易度の誤差を少なくすることができる。また、フェアウェー難易度設定工程、グリーン難易度設定工程についても記憶手段に格納しているデータによっては、難易度の補正が可能である。この繰り返しによって、ゴルフ場間の難易度を確定させることができる。
【００２９】
請求項１１のゴルフのハンディキャップ設定方法は、所定期間内に特定のゴルフ場でプレーヤーが複数回プレーし、また、所定期間内に前記特定のゴルフ場とは異なるゴルフ場で同一プレーヤーが複数回プレーした場合で、該当するプレーヤーの数が所定数になったとき、前記コース難易度設定工程によって設定された難易度を補正するものであるから、請求項９または請求項１０に記載の効果に加えて、所定期間内に異なる複数のゴルフ場で同一プレーヤーが複数回プレーしているとき、或いは複数の人の偏差値が近似しているとき、難易度の平均的な換算値として、それによって難易度を補正することができる。これによって、ゴルフ場毎に設定していた少なくともコース難易度設定工程で算出した難易度の誤差を少なくすることができる。また、フェアウェー難易度設定工程、グリーン難易度設定工程についても記憶工程に格納しているデータによっては、難易度の補正が可能である。この繰り返しによって、ゴルフ場間の難易度が確定させることができる。即ち、ＪＧＡオフィシャルハンディキャップに頼ることなく、プレーヤー全員のデータを使用することによって、難易度をより正確なものにできる。
【発明を実施するための最良の形態】
【００３０】
次に、本発明の実施の形態のゴルフのハンディキャップ設定装置及びその設定方法について、図を用いて説明する。なお、本実施の形態２以降において、実施の形態１と同一記号または同一符号は、上記実施の形態１と同一または相当する構成部分を示すものであるから、その詳細な説明を省略し、主に相違点のみ説明する。
［実施の形態１]
【００３１】
図１は本発明の実施の形態１のゴルフのハンディキャップ設定装置及びその設定方法を示す全体構成図、図２は本発明の実施の形態１のゴルフのハンディキャップ設定装置及びその設定方法の各ユーザーコンピュータの構成図である。
【００３２】
図１において、ホストサーバー１は、メモリが大容量のサーバーである。サーバー制御装置２はホストサーバー１を制御するパソコンである。ユーザーコンピュータ１１〜１８は、このシステムを採用する各ゴルフ場が所有するパソコンであり、各ゴルフ場が所有するホストサーバー１とネットワーク接続された１台以上のパソコンまたはＬＡＮを意味する。
なお、サーバー制御装置２は専用機とするものではなく、ユーザーコンピュータ１１〜１８の１台または複数台と兼用することもできる。
図２はユーザーコンピュータ１１〜１８の何れか１つの構成内容を示すもので、ユーザーサーバー２０は、メモリ容量が比較的大きいサーバーである。パソコン２１はユーザーサーバー２０を制御するコンピュータである。ユーザーコンピュータ１１〜１８としては、ＬＡＮを構成するパソコン２１及びユーザーサーバー２０との構成を必須要件とするものではなく、現在パソコンのメモリ容量が大きくなってきているから、ユーザーサーバー２０を省略し、１台または複数台のパソコン２１のみとすることもできる。
【００３３】
通常、パソコン２１には、キーボード２６、マウス２７、プリンタ２８、カードリーダー２９等の周辺機器が接続されている。また、ユーザーコンピュータ２１には、雨量計２２、風向計２３、風速計２４、温度計（寒暖計）２５がＡ／Ｄ変換器を介して接続されている。また、他の天気に関係する気象情報も気象情報をサービスする会社からインターネット等のネットワークを介して提供を受けている。更に、必要に応じて湿度計及び気圧計等を接続することもある。即ち、気象情報を検出するセンサとしては、ここに示すものに限られるわけではない。
雨量計２２は、ゴルフ場単位または９ホールに１箇所または地形の変化によって複数箇所に設置されるものである。風向計２３及び風速計２４は、一般的なゴルフボールの飛翔軌道において、風の影響を最も受けやすい位置付近の風を測定するものである。したがって、地形の変化及び谷越え、打ち下ろし等の個所に必要数設置されるものであり、ゴルフ場内の設置に限られるものではない。温度計（寒暖計）２５は、地形の変化によって外気温が大きく変化する個所に複数設置される。しかし、比較的平坦なゴルフ場では、１箇所の設置とすることができる。
更に、ネットワークを介して提供を受けている気象情報は、天気、或いは気温、風向、風速情報を得て、その情報と実際の測定現場の実側情報のとの違いの情報の蓄積から、プレー前にコース攻略のガイダンスに使用することもできる。
【００３４】
図３は本発明の実施の形態１のゴルフのハンディキャップ設定装置の機能ブロック図である。
図３において、パソコン２１の構成において、フェアウェー難易度設定手段３１は、各ホールのティーポジションからグリーンオンまでの標準フェアウェーに対する難易度を確率的に決定するものである。
本発明を実施する場合の確率的に決定するとは、正確に確率を算出するものではなく、確率を基に決定した２段階、３段階または５段階〜１０段階程度を目安とすればよい。また、標準フェアウェーとは、ＯＢが発生しない平坦なフェアウェーを想定するものであり、現実とは相違する架空のフェアウェーである。しかし、本発明を実施する場合には、プレーヤーの経験則から、ＯＢ、ハザード（バンカー、ウォーター・ハザード）等のプレーのし難さを排除したフェアウェーを想定すればよいことであり、現実とは相違する架空のフェアウェーの想定までは無用である。
【００３５】
グリーン難易度設定手段３２は、各ホールのグリーンオンからホールアウトまでの標準グリーンに対する難易度を確率的に決定するものである。ここで、標準グリーンとは、芝目に拘束されない平坦なグリーンを想定するものであり、現実とは相違する架空のグリーンである。しかし、本発明を実施する場合には、プレーヤーの経験則から、２段グリーンや、芝目の影響がない空間等のプレーのし難さのない場合を想定すればよいことであり、現実とは相違する架空のグリーンの想定までは無用である。
コース難易度設定手段３３は、ホール毎のフェアウェー難易度設定手段３１及びグリーン難易度設定手段３２で決定した難易度から１８ホールのコースの難易度を決定するものである。勿論、このとき、コース難易度設定手段３３で全体として雨によるボールの動きが少なくなることを、フェアウェー難易度設定手段３１及びグリーン難易度設定手段３２で決定した難易度として補正してもよいし、ホール毎のフェアウェー難易度設定手段３１及び／またはグリーン難易度設定手段３２として補正してもよい。
【００３６】
記憶手段３４は、コース難易度設定手段３３が算出した難易度に基づくコースで実際にプレーしたグロススコアを当該難易度と共に記憶するもので、ユーザ（ゴルフ場）が使用するパソコン２１のメモリ、或いはユーザーサーバー２０、ホストサーバー１が該当する。なお、ユーザーサーバー２０、ホストサーバー１は、システムが大容量化したときの対応であり、システムの採用初期には、ユーザーサーバー２０を省略し、ホストサーバー１のみとすることができる。また、逆にホストサーバー１を省略し、ユーザーサーバー２０のみとすることもできる。
スタンダードハンディキャップ算出手段３５は、記憶手段３４が記憶するコース難易度設定手段３３が算出した難易度に基づくグロススコアから、特定のプレーヤーが所定の期間内のプレー回数に応じたハンディキャップを特定のプレーヤー毎に算出するものである。このスタンダードハンディキャップ算出手段３５は図示の実施の形態では、パソコン２１の演算機能として出力するものであるが、ホストサーバー１及びサーバー制御装置２で計算させることもできる。
【００３７】
図４は本発明の実施の形態１のゴルフのハンディキャップ設定装置のユーザーコンピュータで使用するプレーヤー別スコア記憶例を示すユーザーサーバーのメモリマップの構成図である。
図４において、「プレーヤー名」はプレーする人を特定する氏名であり、現実には住所も別に登録されており、名前の一致だけでなく、登録された現住所、年齢、生年月日との一致を持って同一人物と判定されるものである。通常、効率的処理のため、生年月日を基に、現住所の県名、市名がその次に確認する項目となる。
また、このシステムに加入者は、通常、ＩＣカードによって「コード」で登録することが原則となる。勿論、重複登録を排除するため、「コード」で登録の際には、住所と氏名、生年月日との照合を行うことになる。なお、ＩＣカードで登録することから、ＩＣカードには、スタート前に行う健康チェックの結果、病歴、主治医、常用薬等の他の情報も格納することができる。
したがって、プレーヤーが持参したＩＣカードによってカードリーダー２９によって「プレーヤー名」及びその「コード」が直接読取られ、それがユーザーサーバー２０のメモリマップに書込まれる。
ここで、「ＪＧＡのオフィシャルハンディキャップ」は、特定のゴルフ場のメンバーであり、そのホームコースで特定の期間内に複数回ラウンドし、そのスコアカードを何枚かそのゴルフ場に提出し、ゴルフ場のハンディキャップ委員会等がそのスコアカードに基づいて一定の計算式により算出し、認定した既存のＪＧＡの認定したオフィシャルハンディキャップである。プレーヤーが持参したＩＣカードによって、または直接プレーヤーから聞くことによって、ユーザーコンピュータ１１〜１８に直接書込みがなされる。
【００３８】
「グロススコア」は、当日プレーした「ＯＵＴコース」及び「ＩＮコース」とそれらの和の「総計（ＴＯＴＡＬ）」が、プレーの結果によってプレーヤーまたはゴルフ場のスタッフによって入力される。「ゴルフ場ハンディキャップ」は、そのゴルフ場の設計による「トータルパー」が「７１」または「７２」等を書き込むもので、ゴルフ場またはゴルフコースによって一義的に決定されている。「コース難易度」は、後述する方法によって算出される。
本願発明の「スタンダードハンディキャップ」とは、ゴルフ場の設計的な従来からある「トータルパー」に対して、「コース難易度」を加算した値が「スタンダードパー」であり、「スタンダードトータルパー」と同一の「グロススコア」が「スタンダードハンディキャップ＝０」となる。それがプレー上の「スタンダードトータルパー」となり、それが各ゴルフ場の「スタンダードハンディキャップ」の基礎となる。また、「グロススコア」からプレー上の「スタンダードハンディキャップ」を減算した値が、「スタンダードネットスコア」となる。
これらの情報には、ホストサーバー１に送信するために、ゴルフ場コード「・・・・・・」及びプレー日が自動的に書込まれる。
通常、ゴルフ場相互間が使用可能な情報は、最終的にコース難易度がゴルフ場の難易度となるから、少なくとも図４に示すプレーヤー別スコア記憶したメモリマップに格納された情報である。勿論、図４の情報のうち、「プレーヤー名」と「コード」は、コードのみとすることができる。また、ＪＧＡオフィシャルハンディキャップは省略することもできる。勿論、「コード」は「プレーヤー名」とその住所の対応をホストサーバー１が保管することになる。
【００３９】
図５は本発明の実施の形態１のゴルフのハンディキャップ設定装置のユーザーコンピュータで使用するコース難易度記憶例を示すユーザーサーバーのメモリマップの構成図である。
図５において、「ＨＯＬＥ」は、「ＯＵＴコース」及び「ＩＮコース」の１８ホールを意味する。「ＰＡＲ」は、各ホールの設計的なパーが幾つであるかを示すものである。「コース難易度」は、プレーヤーが「バックティー（ＢＡＣＫ  ＴＥＥ）」を使用するか、「レギュラーティー（ＲＥＧＵＬＡＲ  ＴＥＥ）」、「フロントティー（ＦＲＯＮＴ  ＴＥＥ）」、「レディスティー（ＬＡＤＩＥＳ  ＴＥＥ）」を使用するかで設定するものである。
「バックティー（ＢＡＣＫ  ＴＥＥ）」、「レギュラーティー（ＲＥＧＵＬＡＲ  ＴＥＥ）」、「フロントティー（ＦＲＯＮＴ  ＴＥＥ）」、「レディスティー（ＬＡＤＩＥＳ  ＴＥＥ）」の１８ホールを加算すると、「トータルパー」が例えば、「７１」または「７２」に対して「コース難易度」を加算することができる。それが当該ゴルフ場の特定のプレー日の「スタンダードトータルパー（＝トータルパー＋コース難易度）」となる。
【００４０】
次に、コース難易度設定手段３３、フェアウェー難易度設定手段３１、グリーン難易度設定手段３２について説明する。コース難易度設定手段３３は、フェアウェー難易度設定手段３１及びグリーン難易度設定手段３２の和によって得られるものであるから、まず、フェアウェー難易度設定手段３１から説明する。
なお、フェアウェー難易度設定手段３１、グリーン難易度設定手段３２、コース難易度設定手段３３は、コンピュータによって、３次元空間でゴルフコースを描き、ＯＢ、ワンペナ等の発生確率等を算出することができるが、ここでは、説明の容易なことから、人為的に決定する難易度について説明する。
【００４１】
図６は本発明の実施の形態１のゴルフのハンディキャップ設定装置で使用するフェアウェー難易度設定手段、グリーン難易度設定手段、コース難易度設定手段の評価を書込むユーザーサーバーのメモリマップの構成図である。図７は本発明の実施の形態１のゴルフのハンディキャップ設定装置で使用する難易度運用表の記憶例を示すユーザーサーバーのメモリマップの構成図である。また、図８は本発明の実施の形態１のゴルフのハンディキャップ設定装置で使用するパー５のコースのフェアウェー難易度評価の事例であり、図９乃至図１１はパー４のコースのフェアウェー難易度評価の事例である。図１２はパー５のコースのフェアウェー難易度評価の事例であり、図１３及び図１４はパー３のコースのフェアウェー難易度評価の事例である。
【００４２】
そして、図１５は本発明の実施の形態１のゴルフのハンディキャップ設定装置で使用するフェアウェーの状態を示すフェアウェー難易度評価の事例１、図１６は本発明の実施の形態１のゴルフのハンディキャップ設定装置で使用するフェアウェーの状態を示すフェアウェー難易度評価の事例２、図１７は本発明の実施の形態１のゴルフのハンディキャップ設定装置で使用するフェアウェーの状態を示すフェアウェー難易度評価の事例３、図１８は本発明の実施の形態１のゴルフのハンディキャップ設定装置で使用するフェアウェーの状態を示すフェアウェー難易度評価の事例４、図１９は本発明の実施の形態１のゴルフのハンディキャップ設定装置で使用するグリーンの状態を示すグリーン難易度評価の事例である。
【００４３】
まず、図示のゴルフ場の当該ホールのヤード（ＹＡＲＤＳ）は、「バックティー（ＢＡＣＫ  ＴＥＥ）」からグリーンまでの距離とする。ここでは、当該ホールのティーポジションからグリーンオンするまでの難易度を、確率的に１／５または１／１０または１／２０の評価を最小単位として算出するものとする。これは、発明者等の経験則で、人為的に算出する場合には、通常、その評価のし易さから、５段階または１０段階、２０段階で評価するのが望ましい。５段階または１０段階または２０段階の評価とは、５人または１０人または２０人に１人の標準的なプレーヤーが難しさに直面し、そのホールで１打多くなるという意味である。したがって、それを１／５または１／１０または１／２０と表現したり、「０．２」または「０．１」または「０．０５」と表現することができる。
【００４４】
そして、本実施の形態において、通常の人の打ち難さは１打目のドライバー距離１５０〜３００ヤード位置の両側がＯＢであるときであり、これが難易度「０．２」程度であり、またはワンペナであるとき難易度「０．１」との重み付けは、漠然と難易度「２」と難易度「１」とすることもできる。しかし、発明者等の実際の運用（経験則）では、ゴルフ場相互間の１ラウンド（１８ホール）の難易度は、通常、「＋５〜−２」程度であると確認された。その最も多くは、難しいコースといわれるところでも、通常、難易度「＋４」または「＋３」程度であると確認された。勿論、初心者にとって難しいコースはあるが、難易度の点から解釈すると、「＋５〜−２」程度であると確認された。そこで、確率的に特定する難易度は、１ラウンドの難易度を「＋５〜−２」になるように設定するのが好適である。したがって、１５０〜２５０ヤード位置の両側がＯＢであるときの難易度「０．２」、ワンペナであるとき難易度「０．１」との重み付けを適用しているものである。これは通常のプレーの経験則の打ち難さから捉えてもよいし、「標準的フェアウェー」を幅が無限に広い平面として捉えてもよい。
【００４５】
その結果は、実施の形態２で説明するが、所定期間内に特定のゴルフ場で既存のＪＧＡオフィシャルハンディキャップを取得したプレーヤーが、ＪＧＡオフィシャルハンディキャップを取得した以外のゴルフ場でプレーをした場合、該当するプレーヤーの数が所定数になったとき、ここで設定された「コース難易度」を補正することができる。また、所定期間内に特定のゴルフ場でプレーヤーが複数回プレーし、また、所定期間内に前記特定のゴルフ場とは異なるゴルフ場で同一プレーヤーが複数回プレーした場合の情報があれば、該当するプレーヤーの数が所定数になったとき、ここで設定された「コース難易度」を補正することもできる。
この補正によって、それまでに設定した「コース難易度」が大きく設定されていても、逆に、小さく設定されていても、それまで設定されていた所定の「コース難易度」が補正され、本来の「コース難易度」に収束させることができる。
【００４６】
そのためには、前述したように発明者等のデータに基づけば、１ラウンドの難易度を「＋５〜−２」になるように設定し、例えば、１５０〜３００ヤード位置の両側がＯＢであるときの難易度「０．２」、ワンペナであるとき難易度「０．１」との重み付けの適用が目安となることも確認された。
例えば、コースの幅、コース側面の状態が斜面であるか否か、側面がＯＢであるか否か、ワンペナであるか否か、バンカーの大きさと位置、ウォーターハザードの大きさ位置、谷越え、打下ろし、木立の密度、木立の中の地表の状態、花道の位置と広さ、草の成長度等によって確率的に難易度を決定することができる。
【００４７】
具体的には、コースの幅は、ティーポジションからグリーンまでのボールの飛翔直線に対する直角方向の幅であり、通常、一般人のボール落下地点付近のボールの飛翔直線に対する距離方向の±２０〜５０ヤードの距離を要件とする。また、側面がＯＢであるか否か、ワンペナであるか否かも重要な要件である。具体的概略評価では、例えば、「ＰＡＲ５」で１５０〜３００ヤード位置の両側がＯＢであるとき難易度「０．２」またはワンペナであるとき難易度「０．１」、片側のみＯＢであるとき難易度「０．１」、ワンペナであるときも同様にその確率から難易度「０．０５」とする。同様に、３００〜３５０ヤード位置においても同様の難易度とする。
【００４８】
実際のコースで使用された確率的な難易度を概略説明すると、例えば、図８のように、第１打目のボールの落下地点付近の両側がＯＢであり、フェアウェーの幅から、難易度「０．１」となる。しかし、図１５に示すように、フェアウェーの両側がボールが内側に転がる斜面地形であれば、ボールが外に転がる可能性が少なくなるから難易度「０」になる。逆に、フェアウェーの両側のラフがボールが外側に転がる斜面の地形であれば難易度「０．２」になる。また、図１６に示すように、フェアウェーの片側（左側）がボールが外側の他のコースまで転がる地形または外側がワンペナ、ＯＢ領域に転がる斜面地形であれば難易度「０．１」またはその程度によって「０．２」になる。
【００４９】
また、図９のように、第１打目のボールの落下地点の左側付近がＯＢであるが、フェアウェーの幅が広い場合には、難易度「０」となる。図１０のように、第１打目のボールの落下地点の左側付近がウォーターハザードでワンペナであり、かつ、ウォーターハザードがコースに平行しているから、ワンペナになる確率が高く、難易度「０．２」となる。また、ウォーターハザードが近くにあっても、ボールの落下地点とは関係のない場合、図１１の場合には、打ち上げ以外に難易度は殆どない。図１２の場合には、打ち下ろしであり、風向き及び風速等の気象の影響力が大きく、かつ、右にドックレックしているから、飛距離が出すぎるとワンペナになるから、難易度「０．１」となる。
図１３のように、ショートにおいて、ウォーターハザードを横切っていても、バンカーまたはグラスバンカーがあっても、花道が正面にあり、攻めから見れば図１７に示すグリーンと同様に普通である。逆に、グリーン周りでボールが止まりやすくなっているから、地形的には、難易度「−０．１」となる。しかし、打ち下ろしであり、風向き及び風速の影響が大きく、かつ、右にドックレックしているから、気象の影響力が大きく、それによって難易度が「−０．１」〜「０．２」まで変化する。
【００５０】
図１４のショートにおいては、花道が右側から登ることになるが、真正面はバンカーとなっており、その段差も大きいので、本来は右から攻めるのが望ましい。また、図１８に示すように、グリーンの前にマウントやバンカーがあれば、ラッキーオンは期待できない。しかし、右から攻めるとなると１打多くなることから、通常はワンオン狙いとなる。ところが、少しの失敗が大きくなる可能性が高くなる。地形的には、難易度「０．１」〜「０．２」となる。更に、打ち下ろしであると、風向き及び風速等の気象の影響力が大きく、それによって難易度が「０．１」〜「０．２」まで変化する。
第２打、第３打についても、同様とし、基本的にフェアウェー難易度は、季節を含む地形的な評価と、天候、降雨量、外気温、風速、風向の１以上の気象情報に基づく物理的変量の要件によってそれを決定するのが望ましい。
【００５１】
まとめると、フェアウェー難易度設定手段３１に入力するフェアウェー難易度については、次のような目安である。
例えば、１５０〜３００ヤード位置の両側がコース側面の状態はボールが外に転がる斜面の場合「０．１」、高い壁面の場合には「−０．１」となる。１５０〜３００ヤード位置の片側がコース側面の状態は、ボールが外に転がる斜面の場合、難易度「０．０５」、高い壁面の場合には難易度「−０．０５」とする。３００〜３５０ヤード位置においても同様の難易度とする。
更に、バンカーにおいては、その大きさと位置は、ボールが入りやすい位置にあるか、それが出やすいかどうか、バンカーからの打ち出しの飛距離が出るか否か、ボールの飛距離を大きく制限するか否かによって、難易度「０．０５」、難易度「０．１」となり、勿論、難易度がそれ以下の場合には、難易度「０」或いは難易度「−０．０５」となる。
【００５２】
ウォーターハザードは、その大きさ位置、ボールの飛距離を大きく制限するか否か、１打のペナルティを必要となる確立によって、難易度「０．０５」、「０．１」となる。また、谷越え、打下ろしは、その影響は気象条件、例えば、風向き及び風速によって左右される確率が高いから、通常は、それだけでは難易度は「０」である。谷越えは、飛翔直線距離の幅、その横幅、谷越えした対岸のフェアウェーの傾斜度等を要件とする。打下ろしまたは打上げは、フェアウェーの傾斜度、特に、打下ろしは、上空の風向、風速の影響を要件とするものである。
ショートカットする場合等の木立の密度、木立の中の地表の状態、花道の位置と広さ、草の成長度等は、全体的に難易度を確率的「０．１」程度加算するか否かである。そして、バックティー（ＢＡＣＫ  ＴＥＥ）」、レギュラーティー（ＲＥＧＵＬＡＲ  ＴＥＥ）、フロントティー（ＦＲＯＮＴ  ＴＥＥ）についても、同様に、難易度を設定すればよい。
更に、レディスティー（ＬＡＤＩＥＳ  ＴＥＥ）については、同様に、計算されるが、谷越え等がなくなる等の配慮があるコースでは難易度が軽くなる。特に、レディスティー（ＬＡＤＩＥＳ  ＴＥＥ）は、それが基本的に設計されてない場合もあり、難易度に大きく差が生じる場合が多い。
【００５３】
また、バンカーの大きさと位置は、ボールの飛翔直線方向に対する位置及びボールのグリーン方向に対する飛翔直線距離の幅、バンカーに対するボールの入り易さ、ボールの出易さ等を要件とする。
ウォーターハザードの大きさと位置は、バンカーと同様、ボールの飛翔直線方向に対する位置及びボールのグリーン方向に対する飛翔直線距離の幅、ウォーターハザードに対するボールの入り易さ、ボールの出易さ等を要件とする。
花道の位置とその幅は、花道の中心線がフェアウェーからの直線上にあれば、普通であるが、図１０及び図１４のように、グリーンを中心に左右に３０度以上方向が変わっているとき、花道を使用してグリーンに乗せる確率が低くなり、花道の位置とその幅が要件となる。
【００５４】
グリーン難易度設定手段３２では、各ホールのグリーン上からホールアウトまでの難易度を確率的に算出する。例えば、ステンプメータによって測定される各ホールに対する芝目及びアンジュレーションによる転がりの違い、各グリーンの２段グリーンになっているか否か。２段グリーンの場合には、２段グリーンの段差の高さ、傾斜面の広さ、芝の伸び、芝目の影響等によって算出されるものである。
【００５５】
例えば、各ホールのグリーンオンからホールアウトまでの難易度は、まず、高さが３０〜５０ｃｍの２段グリーンは、難易度「０．１」、高さが５０ｃｍ以上の２段グリーンは難易度「０．２」と設定する。また、ステンプメータによって測定される各ホールに対する芝目及びアンジュレーションによる転がりの違いを３段階に分けて、難易度「０．２」、難易度「０」、難易度「−０．１」と設定する。
そして、グリーン上のホールの位置がティーポジションを中心としてカップ（ホール）を通る直径線で描き、その差が大きいと難易度「０．１」、その差が少ないと難易度「０」となる。これは、フェアウェーからグリーンオンするときの問題であるが、本実施の形態においては、便宜的にグリーン上の要件としている。
更に、図１９のように、２段グリーンであり、かつ、グリーンのアンジュレーションが複雑な３次元空間曲線を描くものは、難易度が大きくなる。
【００５６】
上記図８乃至図１９では、地形情報に基づく難易度について説明した。しかし、気象情報に基づく物理的変量によって決定される難易度は、図２に示すパソコン２１で効率よく次のように処理することができる。
図２１は本発明の実施の形態１及び実施の形態２のゴルフのハンディキャップ設定装置の気象情報を処理するプログラムのフローチャートである。
【００５７】
まず、このプログラムは、パソコン２１で実行される。通常、他の処理プログラムが実行されているとき、図２に示すパソコン２１でタイマー割込みによって実行される。
所定の時間間隔でコールされる。ステップＳ１で各種計測器及びインターネット回線から気象情報の読込みを行う。ステップＳ２でホール数カウンタｍに対し、「＋１」だけインクリメントし、１ホール目からの難易度を算出する。ここで、１ホール目のフェアウェー難易度をホール数カウンタｍ＝１とし、１ホール目のグリーン難易度をホール数カウンタｍ＝２とする。なお、計算には不要であるが、以下同様に、ホール数カウンタｍが奇数のときフェアウェー難易度、ホール数カウンタｍが偶数のときグリーン難易度を示し、ホール数カウンタｍは（ｍ＋１）／２が整数のときの値がホール数を示すものである。
【００５８】
ステップＳ３でホール数カウンタｍが偶数か奇数かを判断し、奇数のときにはフェアウェー難易度の検出であるから、ステップＳ４で降水量の読込みを行い、ステップＳ５でその難易度を判別する。フェアウェーに影響するフェアウェー難易度は、降水量の量によって「０．０５」、「０．１」等と決定される。ステップＳ６で外気温の読込みを行い、ステップＳ７で難易度を判別する。フェアウェー難易度は、その外気温の温度によって「０．１」、「０．２」等と決定される。また、ステップＳ８で風速の読込みを行い、ステップＳ９で難易度を判別する。フェアウェー難易度は、その風速によって「０．１」、「０．２」等と決定される。そして、ステップＳ１０で風向の読込みを行い、ステップＳ１１でその難易度を判別する。フェアウェー難易度は、風向によって「０．０５」、「０．１」等と決定される。
【００５９】
次に、ステップＳ３でホール数カウンタｍが偶数と判断されたときにはグリーン難易度の検出であるから、ステップＳ１２で降水量の読込みを行い、ステップＳ１３でそのグリーンに与える難易度を判別する。グリーン難易度は、降水量の量によって「０．０５」、「０．１」等と決定される。ステップＳ１４で外気温の読込みを行い、ステップＳ１５でその難易度を判別する。グリーン難易度は、外気温の温度によって「０．１」、「０．２」等と決定される。また、ステップＳ１６で風速の読込みを行い、ステップＳ１７で難易度を判別する。グリーン難易度は、風速によって「０．０５」等と決定される。そして、ステップＳ１８で風向の読込みを行い、ステップＳ１９で難易度を判別する。グリーン難易度は、風向によって「０．０５」等と決定される。
そして、ステップＳ２０でホール数カウンタｍの値が最大値「３８」になったとき、このルーチンを脱する。
【００６０】
このように決定した各ホールのティーポジションからグリーンオンまでの地形情報に基づく難易度及び気象情報に基づく物理的変量によって決定される難易度を設定するフェアウェー難易度設定手段３１と、各ホールのグリーンオンからホールアウトまでの地形情報に基づく難易度及び気象情報に基づく物理的変量によって決定される難易度を設定するグリーン難易度設定手段３２と、それらフェアウェー難易度設定手段３１及びグリーン難易度設定手段３２で決定した難易度から１８ホールのコースの難易度を決定するコース難易度設定手段３３は、図６のフェアウェー難易度設定手段３１、グリーン難易度設定手段３２、コース難易度設定手段３３の評価を示す上記記憶手段３４のメモリマップに書込まれる。
【００６１】
即ち、この種の難易度の判断は、図６に示す各ホール毎に、フェアウェー難易度、グリーン難易度、コース難易度の評価をユーザーサーバーのメモリマップに書込まれる。それによって、１８ホールのコース難易度が入力できた時点で、図７の難易度運用表の記憶例を示すメモリマップに移され、バックティー（ＢＡＣＫ  ＴＥＥ）」、レギュラーティー（ＲＥＧＵＬＡＲ  ＴＥＥ）、フロントティー（ＦＲＯＮＴ  ＴＥＥ）、レディスティー（ＬＡＤＩＥＳ  ＴＥＥ）別に、コース難易度の総計が決定される。
【００６２】
なお、前述したように、フェアウェー難易度設定手段３１、グリーン難易度設定手段３２、コース難易度設定手段３３の難易度は、パソコン２１で確率計算から求めることができる。このパソコン２１で確率計算からフェアウェー難易度、グリーン難易度を算出するとなると、フェアウェー及びグリーンからなるコースを３次元空間として捉える必要があり、かつ、そこに入力する立体的情報が必要となり、高い専門性が問われる。
したがって、発明者等は、パソコン２１の確率計算からフェアウェー難易度、グリーン難易度を算出するよりも、最終結果が１打未満の数字を無視することができるから、人為的に決定する方法を採用した。
【００６３】
上記記憶手段３４は、図４に示すように、ゴルフ場相互間の情報の遣り取りに使用する情報として、プレーヤーに対するプレーの日付、その難易度に基づくグロススコア、ゴルフ場または１８ホールからなるコース難易度設定手段３３が算出したコースの難易度を格納し、それ以外に天候、温度等の気象情報を記憶するのが望ましい。勿論、各ゴルフ場のコース難易度設定手段３３が算出したコースの難易度は、各ホールのティーポジションからグリーンオンまでのフェアウェー難易度設定手段３１及び各ホールのグリーンオンからホールアウトまでのグリーン難易度設定手段３２の格納とすることもできる。
しかし、ゴルフ場相互間の情報の遣り取りのルールによって、難易度の設定に安定した運用ができているゴルフ場の情報は、新規加入のゴルフ場情報として参考に供することが望ましい。
【００６４】
上記スタンダードハンディ算出手段３５は、所定の期間中の記憶手段３４が記憶しているコース難易度設定手段３３が算出した難易度に基づくプレーヤーのグロススコアを、プレー回数に応じた算出方法で、スタンダードハンディキャップ、準スタンダードハンディキャップ、仮スタンダードハンディキャップ等のハンディキャップを算出する。このとき、グロススコアの分布状態によっては数学的に平均値の定理及び偏差値によってハンディキャップを算出することができる。例えば、グロススコアにバラツキがあれば、最大最小領域をカットし、ラグランジュの平均値の定理、コーシーの平均値の定理、積分による平均値の定理等により、平均を算出する。この平均値のグロススコアからゴルフ場の設計的な従来からある「トータルパー」及び本実施の形態で得た「コース難易度」を減算した値が「スタンダードネットスコア」となる。「トータルパー」及び「コース難易度」の和は、プレーしたゴルフ場の「スタンダードハンディキャップ」となる。また、プレー回数毎に応じたグロススコアからゴルフ場の「トータルパー」に「コース難易度」を加算した値を減算したものの平均が「スタンダードハンディキャップ」となる。
具体的には、次のように計算される。
【００６５】
図２２は本発明の実施の形態１及び実施の形態２のゴルフのハンディキャップ設定装置のスタンダードハンディキャップ算出手段３５で処理するプログラムのフローチャートである。このプログラムは、ホストサーバー１側で実行される。通常、他の処理プログラムが実行されているとき、図１に示すホストサーバー１及びサーバー制御装置２の何れかで実行される。
まず、スタンダードハンディキャップ算出手段３５では、ステップＳ３１でスタンダードハンディキャップ（準スタンダードハンディキャップ、仮スタンダードハンディキャップを含む。また、何れか１方のみ、または両者をなくすこともできる）を算出するタイミングであるか判断する。そのタイミングでないときには、このルーチンを脱出する。１ヶ月、２ヶ月、３ヶ月、６ヶ月に１度、特定の日にスタンダードハンディキャップを算出すると決められている日であると判断すると、次にステップＳ３２で特定のゴルフ場で特定のプレーヤーのプレー回数Ｎが所定の規定値ｎと比較し、特定のプレーヤーのプレー回数Ｎが所定の規定値ｎを超えるとき、ステップＳ３３で「スタンダードハンディキャップ」を算出する。特定のプレーヤーのプレー回数Ｎが所定の規定値ｎ以下であり、所定の規定値ｎ／２を超えるとき、ステップＳ３３で「準スタンダードハンディキャップ」を算出する。しかし、特定のプレーヤーのプレー回数Ｎが所定の規定値ｎ／２以下であるとき、所定の規定値ｎ／２を超えるとき、ステップＳ３５で「仮スタンダードハンディキャップ」を算出する。
そして、ステップＳ３３からステップＳ３５で計算したスタンダードハンディキャップ、準スタンダードハンディキャップ、仮スタンダードハンディキャップは、ステップＳ３６で格納されステップＳ３７でそれらの計算処理が全登録メンバーに至るまで繰り返し実行される。
【００６６】
スタンダードハンディキャップ算出手段３５で算出する情報の入力は、次のように行われる。
通常のプレーヤーは、フロントで会計を済ますまでに、プレーヤーが持参したＩＣカードによってカードリーダー２９によって「プレーヤー名」を含む「コード」が直接読取られ、それによってユーザーサーバー２０のメモリマップの読出しを行い、そこにグロススコアを入力することによって行われる。
即ち、図２３は本発明の実施の形態１及び実施の形態２のゴルフのハンディキャップ設定装置の記録入力するプログラムのフローチャートである。このプログラムは、パソコン２１で実行される。
まず、自己の記録を必要としないメンバーに対する入力は、ステップＳ４１でメンバー名を入力し、ステップＳ４２でグロススコアを入力する。これによって、図４の「グロススコア」として「ＯＵＴコース」及び「ＩＮコース」とそれらの和の「総計（ＴＯＴＡＬ）」を入力する。
【００６７】
図２４は本発明の実施の形態１及び実施の形態２のゴルフのハンディキャップ設定装置の成績表の出力処理するプログラムのフローチャートである。このプログラムは、パソコン２１で実行される。
まず、自己の記録またはコンペメンバーの記録を必要とする場合は、ステップＳ５１でメンバー名を入力し、ステップＳ５２でグロススコアを入力する。これによって、図４の情報の書込みを終了する。続いて、ステップＳ５３でコンペでプレーし、コンペでプレーヤーの順位をつける必要がある場合には、コンペ名を入力する。ステップＳ５４でプレーしたゴルフ場の「トータルパー」及び「コース難易度」を図４から読込み、ステップＳ５５で既にスタンダードハンディキャップを有しているか否かを判断し、スタンダードハンディキャップを有しているメンバーの場合には、定期的に算出したスタンダードハンディキャップを読込む。スタンダードハンディキャップを有していないメンバーの場合には、ステップＳ５７で過去のスタンダードハンディキャップの計算したときから５回以上プレーしている場合には、ステップＳ５８で「準スタンダードハンディキャップ」を修正、または新規計算する。この修正は、過去のデータを用いて再計算してもよいし、重み付けして修正してもよい。ステップＳ５７で過去のスタンダードハンディキャップの計算したときから５回以上プレーしていない場合には、ステップＳ５９で「仮スタンダードハンディキャップ」を計算する。この計算は、過去のデータを用いて計算してもよいし、それに重み付けして修正してもよい。
ステップＳ６０で「スタンダードハンディキャップ」、「準スタンダードハンディキャップ」、「仮スタンダードハンディキャップ」の書込みを行い、ステップＳ６１で「スタンダードネットスコア」を計算し、その書込みを行う。ステップＳ５３でコンペ名入力があった場合には、ステップＳ６２でコンペ名毎の順位を算出し、ステップＳ６３でコンペ名毎の出力を行う。また、ステップＳ５３でコンペ名が入力されてなかったときには、ステップＳ６３でメンバー毎の出力を行う。
【００６８】
このように、本実施の形態１のゴルフのハンディキャップ設定装置は、各ホールのティーポジションからグリーンオンまでの地形情報に基づく難易度及び気象情報に基づく物理的変量によって決定される難易度を確率的に算出、決定するフェアウェー難易度設定手段３１と、各ホールのグリーンオンからホールアウトまでの地形情報に基づく難易度及び気象情報に基づく物理的変量によって決定される難易度を確率的に算出、決定するグリーン難易度設定手段３２と、前記ホール毎のフェアウェー難易度設定手段３１及びグリーン難易度設定手段３２で算出した難易度から１８ホールのコースの難易度を算出するコース難易度設定手段３３と、コース難易度設定手段３３が算出した難易度に基づくプレーヤーのグロススコアを記憶する記憶手段３４と、所定の期間内の記憶手段３４が記憶するコース難易度設定手段３３が算出した難易度に基づくプレーヤーのグロススコアからそのプレー回数に応じたハンディキャップを算出するスタンダードハンディ算出手段３５を具備する発明とすることができる。
なお、本発明で地形情報に基づく難易度及び／または気象情報に基づく物理的変量によって決定される難易度は、年間を通しての地形的要件または季節に対応する地形的要件と、天候、降雨量、外気温、風速、風向の１以上の気象情報に基づく物理的変量の要件を基にして算出、決定される。
このとき、フェアウェー難易度設定手段３１とグリーン難易度設定手段３２は、地形情報に基づく難易度及び気象情報に基づく物理的変量によって決定される難易度を確率的に算出、決定するものであるが、コースが平坦地であったり、グリーンの水捌けがよく平坦である場合等は、地形情報に基づく難易度または気象情報に基づく物理的変量によって決定される難易度の何れかのみ使用することもできる。
【００６９】
このように、本実施の形態１のゴルフのハンディキャップ設定装置は、その手順をまとめると、フェアウェー難易度設定手段３１で行うゴルフのハンディキャップ設定方法は、各ホールのティーポジションからグリーンオンまでの標準フェアウェーに対する難易度を確率的に算出するフェアウェー難易度設定工程と、グリーン難易度設定手段３２で行う各ホールのグリーンオンからホールアウトまでの標準グリーンに対する難易度を確率的に算出するグリーン難易度設定工程と、コース難易度設定手段３３で行う前記ホール毎のフェアウェー難易度設定工程及びグリーン難易度設定工程で算出した難易度から１８ホールのコース難易度を算出するコース難易度設定工程と、前記コース難易度設定工程が算出した難易度に基づくコースで実際にプレーしたグロススコアを当該難易度と共に記憶手段３４に記憶する記憶工程と、スタンダードハンディキャップ算出手段３５で行う前記記憶工程で記憶する前記コース難易度設定工程が算出した難易度に基づくグロススコアから、特定のプレーヤーが所定の期間内のプレー回数に応じたハンディキャップを特定のプレーヤー毎に算出するスタンダードハンディキャップ算出工程を経て算出するゴルフのハンディキャップ設定方法の発明とすることができる。
【００７０】
何れにおいても、フェアウェー難易度設定手段３１は、各ホールのティーポジションからグリーンオンするまでの地形情報に基づく難易度及び／または気象情報に基づく物理的変量によって決定される難易度を確率的に決定するものであり、プレーヤーがティーポジションでティーアップし、グリーンオンするまでの難易度を決定するものである。具体的には、コースの幅、コース側面の状態、斜面であるか否か、側面がＯＢであるか否か、バンカーの大きさと位置、ウォーターハザードの大きさ位置、谷越え、打下ろしの場合の風の影響、花道の位置と広さ、草の成長等によってフェアウェー難易度を確率的に算出するものである。
【００７１】
また、グリーン難易度設定手段３２は、各ホールのグリーン上からホールアウトまでの地形情報に基づく難易度及び／または気象情報に基づく物理的変量によって決定されるグリーン難易度を確率的に決定するもので、ステンプメータによって測定される各ホールに対する芝目及びアンジュレーションによる転がりの違い、２段グリーンの段差の高さ、傾斜面の広さ、芝の伸び等によって算出されるものである。
そして、コース難易度設定手段３３は、ホール毎のフェアウェー難易度設定手段３１及びグリーン難易度設定手段３２で算出した難易度から１８ホールのコース難易度を算出する。この１８ホールのコースは、例えば、２７ホールを有するゴルフ場は、９ホールのハーフの組み合わせにより、３コースの組み合わせができ、実質的に３つのゴルフ場として扱うことができる。したがって、コース難易度設定手段３３は、１８ホールからなるゴルフ場及び１８ホールからなるコースを１ゴルフ場の単位として特定するものである。
更に、記憶手段３４は、少なくとも、コース難易度設定手段３３が算出したコース難易度、その難易度に基づくプレーヤーのグロススコアを記憶するもので、一般に、プレー日、プレーヤーに対するグロススコア、ゴルフ場または１８ホールからなるコースのコース難易度を格納する。勿論、それ以外に天候、温度等の気象情報を記憶するのが望ましい。
更にまた、スタンダードハンディ算出手段３５は、所定の期間中の記憶手段３４が記憶するコース難易度設定手段３３が算出したコース難易度に基づくプレーヤーのグロススコアを、プレー回数に応じた算出方法でプレーヤー別にスタンダードハンディキャップを算出する。このとき、グロススコアの分布状態によっては平均値、偏差値によってスタンダードハンディキャップを算出することができる。また、プレー回数が所定期間内に所定回数以下の場合には、準スタンダードハンディキャップ、仮スタンダードハンディキャップとすることができる。そして、当該ゴルフ場のコースのスタンダードパーを算出することもできる。
［実施の形態２]
【００７２】
図２０は本発明の実施の形態２のゴルフのハンディキャップ設定装置の機能ブロック図である。
図２０において、図３に示す本実施の形態１のゴルフのハンディキャップ設定装置との相違点のみ説明する。
本実施の形態２のゴルフのハンディキャップ設定装置と本実施の形態１のゴルフのハンディキャップ設定装置との相違点は、本実施の形態２のゴルフのハンディキャップ設定装置には、難易度補正手段３６が接続されていることにある。
難易度補正手段３６は、所定期間内に特定のゴルフ場でＪＧＡオフィシャルハンディキャップを取得したプレーヤーが、ＪＧＡオフィシャルハンディキャップを取得した以外のゴルフ場でプレーをした場合で、しかも、該当するプレーヤーの数が所定数になったとき、コース難易度設定手段３３（フェアウェー難易度設定手段３１及びグリーン難易度設定手段３２を含む）によって設定されたコース難易度を補正するものである。また、これはメンバー外であっても適用できる。即ち、所定期間内に特定のゴルフ場でプレーヤーが複数回プレーし、また、所定期間内に前記特定のゴルフ場とは異なるゴルフ場で同一プレーヤーが複数回プレーした場合で、該当するプレーヤーの数が所定数になったとき、コース難易度設定手段３３（フェアウェー難易度設定手段３１及びグリーン難易度設定手段３２を含む）によって設定されたコース難易度を補正するものである。
【００７３】
図２５は本発明の実施の形態２のゴルフのハンディキャップ設定装置の難易度補正手段３６が処理するプログラムのフローチャートである。このプログラムは、ホストサーバー１及びサーバー制御装置２で実行される。
本実施の形態の難易度補正手段３６においては、ステップＳ７１でゴルフ場相互間の補正のタイミングであるか判断する。補正のタイミングとは、１ヶ月、２ヶ月、３ヶ月、４ヶ月、６ヶ月等に１度、特定の日にゴルフ場相互間の難易度を補正するタイミングであるか判断する。そのタイミングでないときには、このルーチンを脱出する。ゴルフ場相互間の難易度を補正する特定のタイミングであるとき、所定のゴルフ場においてステップＳ７２で過去３ヶ月間に１０回以上のプレーヤーの存在を判断する。存在していないとき、このルーチンを脱出する。ステップＳ７２で過去３ヶ月間に１０回以上のプレーヤーの存在を確認すると、ステップＳ７３でそのプレーヤーが他の特定の同一ゴルフ場で３回以上プレーしているかを判断する。他の特定の同一ゴルフ場で３回以上プレーしていないとき、このルーチンを脱出する。他の特定の同一ゴルフ場で３回以上プレーした人がいるとき、ステップＳ７４で各プレーヤーのゴルフ場相互間のハンディキャップを算出し、それをステップＳ７５で各ゴルフ場の難易度比を１／１００として補正する。即ち、各プレーヤーのゴルフ場相互間の難易度の補正値を１／１００として、１００人が出した結果によって、直接的な補正値として使用するものである。この比率は１／１０００または１／５００等として、直接的には、多くのプレーヤーの結果を尊重するように設定するのが望ましい。しかし、このシステムの導入初期には、各プレーヤーのゴルフ場相互間の難易度の補正値を１／１００として数年間運用し、その後、１／１０００または１／２０００を使用すると、客観性のある難易度に収束しやすい。
【００７４】
本実施の形態においては、難易度補正手段３６によるコース難易度設定手段３３によって設定された難易度の補正は、所定の期間毎に更新するものであるから、各ゴルフ場間のコース難易度の補正を徐々に収束した値とすることができる。したがって、経年変化に伴いその信頼性を高揚することができる。
【００７５】
本実施の形態においては、上記発明の構成に対して、更に、所定期間内に特定のゴルフ場でＪＧＡオフィシャルハンディキャップを取得したプレーヤーが、ＪＧＡオフィシャルハンディキャップを取得した以外のゴルフ場でプレーをした場合、該当するプレーヤーの数が所定数になったとき、前記コース難易度設定手段３３によって設定されたコース難易度を補正する難易度補正手段３６を付加した発明とすることができる。また、同様に当該機能を有する方法の発明とすることもできる。
更に、所定期間内に特定のゴルフ場でプレーヤーが複数回プレーし、また、所定期間内に前記特定のゴルフ場とは異なるゴルフ場で同一プレーヤーが複数回プレーした場合で、該当するプレーヤーの数が所定数になったとき、前記コース難易度設定手段３３によって設定された難易度を補正する難易度補正手段３６を具備する発明とすることもできる。また、同様に当該機能を有する方法の発明とすることもできる。
【００７６】
そして、本発明を実施する場合には、難易度補正手段３６によるコース難易度設定手段３３によって設定された難易度の補正は、所定の期間毎に更新するものであり、各ゴルフ場間の難易度の補正を徐々に収束した値とすることができる。このとき、所定の期間毎の更新は、１〜６ヶ月または１年に１回とすることができる。更新によって各ゴルフ場間の難易度が変化する可能性があるから、通常、２ヶ月または３ヶ月または６ヶ月に１回程度が望ましい。勿論、プレーヤーがプレーする都度とすることもできる。
【００７７】
更に、本発明を実施する場合には、フェアウェー難易度設定手段３３は、地形情報に基づく難易度と気象情報に基づく物理的変量によって決定されるコース難易度によって決定するものであるから、地形情報に基づく難易度を特定できれば、気象情報の読み込みによって、一切の人為的誤差を介在することなく、コース難易度を算出することができる。
特に、コース難易度設定手段３３及び／またはフェアウェー難易度設定手段３１及び／またはグリーン難易度設定手段３２の気象情報に基づく物理的変量によって決定されるコース難易度とは、天候、降雨量、外気温、風速、風向の１以上としたものでは、その物理的変量の測定が極めて容易であり、かつ、信頼性が高くなっており、また、サービスされている気象情報の読み込みによっても対応できる。ここで、気象情報の物理的変量として、具体的には、季節（プレーの日付）、天候、降雨量、風向き、風速によって、２〜５段階または５〜１０段階以上に設定することができる。
［実施の形態３]
【００７８】
ところで、上記実施の形態では、コース難易度設定手段３３として、フェアウェー難易度設定手段３１及びグリーン難易度設定手段３２を含む構成について説明した。しかし、本発明を実施する場合には、フェアウェー難易度設定手段３１とグリーン難易度設定手段３２とを必ずしも分離して評価する必要はない。例えば、前述したようにグリーンオンした位置は、フェアウェー難易度設定手段３１に取り入れてもよいし、グリーン難易度設定手段３２に取り入れてもよいように、便宜的に境界を設置したものである。したがって、フェアウェー難易度設定手段３１とグリーン難易度設定手段３２との内容を一体とし、それをコース難易度設定手段３３として一括評価することができる。
【００７９】
このときの上記実施の形態のゴルフのハンディキャップ設定装置の構成は、各ホール毎のフェアウェー及びグリーンで算出した難易度から１８ホールのコースの地形情報に基づく難易度及び／または気象情報に基づく物理的変量によって決定される難易度を算出、決定するコース難易度設定手段３３と、コース難易度設定手段３３が算出したコース難易度に基づくコースで実際にプレーしたグロススコアを当該難易度と共に記憶する記憶手段３４と、記憶手段３４が記憶するコース難易度設定手段３３が算出したコース難易度に基づくグロススコアから、特定のプレーヤーが所定の期間内のプレー回数に応じたハンディキャップを特定のプレーヤー毎に算出するスタンダードハンディキャップ算出手段３５を具備することになる。
ここで、コース難易度設定手段３３は、各ホールのティーアップからホールアウトまでの難易度を確率的に決定するものであり、具体的には、各ホールのティーポジションからグリーンオンするまでの難易度及び各ホールのグリーン上からホールアウトまでのコース難易度を確率的に算出するもので、例えば、フェアウェーにおいては、コースの幅、コース側面の状態、側面がＯＢであるか否か、バンカーの大きさと位置、ウォーターハザードの大きさ位置、谷越え、打下ろしの場合の風の影響等、花道の位置と広さ、草の成長度等、グリーン上においては、ステンプメータによって測定される各ホールに対する芝目及びアンジュレーションによる転がりの違い、２段グリーンの段差の高さ、傾斜面の広さ、芝の伸び等をトータル的に算出されるものである。
【００８０】
コース難易度設定手段３３は、１８ホールのコース難易度を算出する。この１８ホールのコースは、例えば、２７ホールを有するゴルフ場は、９ホールのハーフの組み合わせにより、３コースの組み合わせができ、実質的に３つのゴルフ場として扱うことができる。したがって、コース難易度設定手段３３は、１８ホールからなるゴルフ場及び１８ホールからなるコースを１ゴルフ場の単位として特定するものである。
また、記憶手段３４は、コース難易度設定手段３３が算出した難易度に基づくプレーヤーのグロススコアを記憶するもので、プレーヤーに対して、グロススコア、ゴルフ場または１８ホールからなるコース難易度を格納し、勿論、これ以外の天候、温度等の気象情報を記憶してもよい。
そして、スタンダードハンディ算出手段３５は、所定の期間中の記憶手段３４が記憶するコース難易度設定手段３３が算出した難易度に基づくプレーヤーのグロススコアを、プレー回数に応じた算出方法でスタンダードハンディキャップ、準スタンダードハンディキャップ、仮スタンダードハンディキャップを算出する。このとき、分布状態によっては平均値、偏差値によってスタンダードハンディキャップ、準スタンダードハンディキャップ、仮スタンダードハンディキャップを算出することができる。
【００８１】
上記実施の形態のゴルフのハンディキャップ設定装置においては、フェアウェー難易度設定手段３３において算出する日々の難易度の違いが、晴れ、曇りの場合には少なく、「±０．５以下」のときには、四季または月単位に変化する程度の難易度の違いとして、四季または月単位の当該ゴルフ場の固有値として難易度を特定することができ、四季または月単位で一致させ、降雨量、風速、風向のみで、或いはその幾つかの組み合わせによって、難易度を修正することもできる。
【００８２】
上記実施の形態のゴルフのハンディキャップ設定装置においては、コース難易度設定手段３３及び／またはフェアウェー難易度設定手段３１及び／またはグリーン難易度設定手段３２は、物理的変量によって決定される値とするものであるから、客観性のある情報によって難易度を設定することができる。
【００８３】
上記実施の形態のゴルフのハンディキャップ設定装置においては、コース難易度設定手段３３及び／または前記フェアウェー難易度設定手段３１及び／またはグリーン難易度設定手段３２の物理的変量とは、季節、天候、降雨量、外気温、風速、風向の１以上としたものであるから、計測技術と共に客観性のある情報によって難易度を設定することができる。特に、季節、天候、降雨量、外気温、風速、風向によって難易度が変化しないものについては、その情報を省略することができる。例えば、水はけのよいグリーンであり、晴れと雨では、ボールの転がる距離が変化するが、芝目による方向性の特徴がなくなる場合には、天候及び降雨量について、プレーができる条件においては、使用する必要がなくなるので合理的である。
【００８４】
上記実施の形態のゴルフのハンディキャップ設定装置の記憶手段３４には、コース難易度設定手段３３が算出した難易度に基づくコースで実際にプレーしたグロススコアを当該難易度及びプレーの日付と、季節、天候、降雨量、外気温、風速、風向の１以上と共に記憶するものであるから、ゴルフ場相互間情報として、季節、天候、降雨量、外気温、風速、風向の影響を補正することにより、よりよい難易度の種類に分けた管理情報とすることができる。
【００８５】
上記実施の形態のゴルフのハンディキャップ設定装置では、コース難易度設定手段３３で設定した難易度がコースに応じて１個のコース難易度を設定しているが、プレーを面白くするために初心者用難易度、中級者難易度、上級者難易度のように複数個設定することもできる。
また、上記実施の形態のゴルフのハンディキャップ設定装置では、プレーの日付を季節情報として使用しているが、季節情報は地形情報として使用してもよいし、気象情報に基づく物理的変量として用いてもよい。
そして、上記実施の形態のゴルフのハンディキャップ設定装置の説明に使用した各要件の各難易度は、概略値であり、具現化する場合の値とは正確には相違するものがある。
更に、上記実施の形態のゴルフのハンディキャップ設定装置では、「スタンダードハンディキャップ」、「準スタンダードハンディキャップ」、「仮スタンダードハンディキャップ」からなる３個のハンディキャップを使用しているが、本発明を実施する場合には、３個に限定されるものではなく１個または２個以上と定めることができる。
【図面の簡単な説明】
【００８６】
【図１】図１は本発明の実施の形態１のゴルフのハンディキャップ設定装置及びその設定方法を示す全体構成図である。
【図２】図２は本発明の実施の形態１のゴルフのハンディキャップ設定装置及びその設定方法の各ユーザーコンピュータの構成図である。
【図３】図３は本発明の実施の形態１のゴルフのハンディキャップ設定装置の機能ブロック図である。
【図４】図４は本発明の実施の形態１のゴルフのハンディキャップ設定装置のユーザーコンピュータで使用するプレーヤー別スコア記憶例を示すメモリマップの構成図である。
【図５】図５は本発明の実施の形態１のゴルフのハンディキャップ設定装置のユーザーコンピュータで使用するコース難易度記憶例を示すメモリマップの構成図である。
【図６】図６は本発明の実施の形態１のゴルフのハンディキャップ設定装置で使用するフェアウェー難易度設定手段、グリーン難易度設定手段、コース難易度設定手段の評価を示すメモリマップの構成図である。
【図７】図７は本発明の実施の形態１のゴルフのハンディキャップ設定装置で使用する難易度運用表の記憶例を示すメモリマップの構成図である。
【図８】図８は本発明の実施の形態１のゴルフのハンディキャップ設定装置で使用するパー５のコースのフェアウェー難易度評価の事例である。
【図９】図９は同じくパー４のコースのフェアウェー難易度評価の事例である。
【図１０】図１０は同じくパー４のコースのフェアウェー難易度評価の他の事例である。
【図１１】図１１は同じくパー４のコースのフェアウェー難易度評価の他の事例である。
【図１２】図１２は同じくパー５のコースのフェアウェー難易度評価の事例である。
【図１３】図１３は同じくパー３のコースのフェアウェー難易度評価の事例である。
【図１４】図１４は同じくパー３のコースのフェアウェー難易度評価の他の事例である。
【図１５】図１５は本発明の実施の形態１のゴルフのハンディキャップ設定装置で使用するフェアウェーの状態を示すフェアウェー難易度評価の事例１である。
【図１６】図１６は本発明の実施の形態１のゴルフのハンディキャップ設定装置で使用するフェアウェーの状態を示すフェアウェー難易度評価の事例２である。
【図１７】図１７は本発明の実施の形態１のゴルフのハンディキャップ設定装置で使用するフェアウェーの状態を示すフェアウェー難易度評価の事例３である。
【図１８】図１８は本発明の実施の形態１のゴルフのハンディキャップ設定装置で使用するフェアウェーの状態を示すフェアウェー難易度評価の事例４である。
【図１９】図１９は本発明の実施の形態１のゴルフのハンディキャップ設定装置で使用するグリーンの状態を示すグリーン難易度評価の事例である。
【図２０】図２０は本発明の実施の形態２のゴルフのハンディキャップ設定装置の機能ブロック図である。
【図２１】図２１は本発明の実施の形態１及び実施の形態２のゴルフのハンディキャップ設定装置の気象情報を処理するプログラムのフローチャートである。
【図２２】図２２は本発明の実施の形態１及び実施の形態２のゴルフのハンディキャップ設定装置のスタンダードハンディキャップ算出手段で処理するプログラムのフローチャートである。
【図２３】図２３は本発明の実施の形態１及び実施の形態２のゴルフのハンディキャップ設定装置の記録入力するプログラムのフローチャートである。
【図２４】図２４は本発明の実施の形態１及び実施の形態２のゴルフのハンディキャップ設定装置の成績表の出力処理するプログラムのフローチャートである。
【図２５】図２５は本発明の実施の形態２のゴルフのハンディキャップ設定装置の難易度補正手段が処理するプログラムのフローチャートである。
【符号の説明】
【００８７】
１          ホストサーバー
２          サーバー制御装置
１１〜１８  ユーザーコンピュータ
２０        ユーザーサーバー
２１        パソコン
２２        雨量計
２３        風向計
２４        風速計
２５        温度計（寒暖計）
２９        カードリーダー
３１        フェアウェー難易度設定手段
３２        グリーン難易度設定手段
３３        コース難易度設定手段
３４        記憶手段
３５        スタンダードハンディキャップ算出手段
３６        難易度補正手段
【図１】
2008086369.tif 000003
【図２】
2008086369.tif 000004
【図３】
2008086369.tif 000005
【図４】
2008086369.tif 000006
【図５】
2008086369.tif 000007
【図６】
2008086369.tif 000008
【図７】
2008086369.tif 000009
【図８】
2008086369.tif 000010
【図９】
2008086369.tif 000011
【図１０】
2008086369.tif 000012
【図１１】
2008086369.tif 000013
【図１２】
2008086369.tif 000014
【図１３】
2008086369.tif 000015
【図１４】
2008086369.tif 000016
【図１５】
2008086369.tif 000017
【図１６】
2008086369.tif 000018
【図１７】
2008086369.tif 000019
【図１８】
2008086369.tif 000020
【図１９】
2008086369.tif 000021
【図２０】
2008086369.tif 000022
【図２１】
2008086369.tif 000023
【図２２】
2008086369.tif 000024
【図２３】
2008086369.tif 000025
【図２４】
2008086369.tif 000026
【図２５】
2008086369.tif 000027